(57)【特許請求の範囲】
【請求項１】
第１のヘッダデータであることを示す第１の識別データを含む第１のヘッダデータ、並びにこの第１のヘッダデータと実質的に同一なデータであって第２のヘッダデータであることを示す第２の識別データを含む第２のヘッダデータが記録されたヘッダ領域、及びこのヘッダ領域に続く領域であってこのヘッダ領域に記録された前記第１及び第２のヘッダデータに基づきデータの記録又は再生を受けるデータ記録領域を有する光ディスクから前記ヘッダデータを含む各種データを再生する光ディスク装置において、
前記光ディスクから前記第１及び第２のヘッダデータを再生する再生手段と、
この再生手段により前記第１のヘッダデータに含まれる前記第１の識別データが再生されたときには、この第１の識別データに基づき、擬似的に前記ヘッダ領域を検知したことを示す第１の疑似ヘッダ信号を第１のタイミングで出力し、前記再生手段により前記第１のヘッダデータに含まれる前記第１の識別データが再生されずに、前記第２のヘッダデータに含まれる前記第２の識別データが再生されたときには、この第２の識別データに基づき、擬似的に前記ヘッダ領域を検知したことを示す第２の疑似ヘッダ信号を第２のタイミングで出力する疑似ヘッダ信号出力手段と、
を備えたことを特徴とする光ディスク装置。
【請求項２】
第１のヘッダデータであることを示す第１の識別データを含む第１のヘッダデータ、並びにこの第１のヘッダデータと実質的に同一なデータであって第２のヘッダデータであることを示す第２の識別データを含む第２のヘッダデータが記録されたヘッダ領域、及びこのヘッダ領域に続く領域であってこのヘッダ領域に記録された前記第１及び第２のヘッダデータに基づきデータの記録又は再生を受けるデータ記録領域を有する光ディスクから前記ヘッダデータを含む各種データを再生する光ディスク装置において、
前記光ディスクから前記第１及び第２のヘッダデータを再生する第１の再生手段と、
この第１の再生手段により前記第１のヘッダデータに含まれる前記第１の識別データが再生されたときには、この第１の識別データに基づき、擬似的に前記ヘッダ領域を検知したことを示す第１の疑似ヘッダ信号を第１のタイミングで出力し、前記第１の再生手段により前記第１のヘッダデータに含まれる前記第１の識別データが再生されずに、前記第２のヘッダデータに含まれる前記第２の識別データが再生されたときには、この第２の識別データに基づき、擬似的に前記ヘッダ領域を検知したことを示す第２の疑似ヘッダ信号を第２のタイミングで出力する疑似ヘッダ信号出力手段と、
この疑似ヘッダ信号出力手段により出力される前記第１及び第２の疑似ヘッダ信号のうちのどちらか一方の疑似ヘッダ信号に基づき、前記データ記録領域に記録されたデータを再生する第２の再生手段と、
を備えたことを特徴とする光ディスク装置。
【請求項３】
第１のヘッダデータであることを示す第１の識別データを含む第１のヘッダデータ、並びにこの第１のヘッダデータと実質的に同一なデータであって第２のヘッダデータであることを示す第２の識別データを含む第２のヘッダデータが記録されたヘッダ領域、及びこのヘッダ領域に続く領域であってこのヘッダ領域に記録された前記第１及び第２のヘッダデータに基づきデータの記録又は再生を受けるデータ記録領域を有する光ディスクから前記ヘッダデータを含む各種データを再生する光ディスク装置において、
前記光ディスクから前記第１及び第２のヘッダデータを再生する再生手段と、
この再生手段により前記第１のヘッダデータに含まれる前記第１の識別データが再生されたときには、この第１の識別データに基づき、擬似的に前記ヘッダ領域を検知したことを示す第１の疑似ヘッダ信号を第１のタイミングで出力し、前記再生手段により前記第１のヘッダデータに含まれる前記第１の識別データが再生されずに、前記第２のヘッダデータに含まれる前記第２の識別データが再生されたときには、この第２の識別データに基づき、擬似的に前記ヘッダ領域を検知したことを示す第２の疑似ヘッダ信号を第２のタイミングで出力する疑似ヘッダ信号出力手段と、
この疑似ヘッダ信号出力手段により出力される前記第１及び第２の疑似ヘッダ信号のうちのどちらか一方の疑似ヘッダ信号に基づき、前記データ記録領域に対してデータを記録する記録手段と、
を備えたことを特徴とする光ディスク装置。
【請求項４】
ヘッダデータが記録されたヘッダ領域、及びこのヘッダ領域に続く領域であってこのヘッダ領域に記録された前記ヘッダデータに基づきデータの記録又は再生を受けるデータ記録領域を有する光ディスクから前記ヘッダデータを含む各種データを再生する光ディスク装置において、
前記光ディスクから前記ヘッダデータを再生する第１の再生手段と、
この第１の再生手段により再生された前記ヘッダデータに基づき、前記ヘッダ領域を検知したことを示すヘッダ信号を出力するヘッダ信号出力手段と、
前記第１の再生手段により再生された前記ヘッダデータに含まれる所定のデータに基づき、擬似的に前記ヘッダ領域を検知したことを示す疑似ヘッダ信号を所定のタイミングで出力する疑似ヘッダ信号出力手段と、
前記ヘッダ信号出力手段により出力された前記ヘッダ信号、及び前記疑似ヘッダ信号出力手段により出力された前記疑似ヘッダ信号に基づき、前記ヘッダ領域及び前記データ記録領域を識別し、前記データ記録領域に記録されたデータを再生する第２の再生手段と、
を備えたことを特徴とする光ディスク装置。
【請求項５】
ヘッダデータが記録されたヘッダ領域、及びこのヘッダ領域に続く領域であってこのヘッダ領域に記録された前記ヘッダデータに基づきデータの記録又は再生を受けるデータ記録領域を有する光ディスクから前記ヘッダデータを含む各種データを再生する光ディスク装置において、
前記光ディスクから前記ヘッダデータを再生する再生手段と、
この再生手段により再生された前記ヘッダデータに基づき、前記ヘッダ領域を検知したことを示すヘッダ信号を出力するヘッダ信号出力手段と、
前記再生手段により再生された前記ヘッダデータに含まれる所定のデータに基づき、擬似的に前記ヘッダ領域を検知したことを示す疑似ヘッダ信号を所定のタイミングで出力する疑似ヘッダ信号出力手段と、
前記ヘッダ信号出力手段により出力された前記ヘッダ信号、及び前記疑似ヘッダ信号出力手段により出力された前記疑似ヘッダ信号に基づき、前記ヘッダ領域及び前記データ記録領域を識別し、前記データ記録領域に対してデータを記録する記録手段と、
を備えたことを特徴とする光ディスク装置。
【請求項６】
第１のヘッダデータであることを示す第１の識別データを含む第１のヘッダデータ、並びにこの第１のヘッダデータと実質的に同一なデータであって第２のヘッダデータであることを示す第２の識別データを含む第２のヘッダデータが記録されたヘッダ領域、及びこのヘッダ領域に続く領域であってこのヘッダ領域に記録された前記第１及び第２のヘッダデータに基づきデータの記録又は再生を受けるデータ記録領域を有する光ディスクから前記ヘッダデータを含む各種データを再生する光ディスク装置において、
前記光ディスクから前記第１及び第２のヘッダデータを再生する第１の再生手段と、
この第１の再生手段により再生された前記第１及び第２のヘッダデータに基づき、前記ヘッダ領域を検知したことを示すヘッダ信号を出力するヘッダ信号出力手段と、
前記第１の再生手段により前記第１のヘッダデータに含まれる前記第１の識別データが再生されたときには、この第１の識別データに基づき、擬似的に前記ヘッダ領域を検知したことを示す第１の疑似ヘッダ信号を第１のタイミングで出力し、前記第１の再生手段により前記第１のヘッダデータに含まれる前記第１の識別データが再生されずに、前記第２のヘッダデータに含まれる前記第２の識別データが再生されたときには、この第２の識別データに基づき、擬似的に前記ヘッダ領域を検知したことを示す第２の疑似ヘッダ信号を第２のタイミングで出力する疑似ヘッダ信号出力手段と、
前記ヘッダ信号出力手段により出力された前記ヘッダ信号、及び前記疑似ヘッダ信号出力手段により出力される前記第１並びに第２の疑似ヘッダ信号のうちのどちらか一方の疑似ヘッダ信号に基づき、前記ヘッダ領域及び前記データ記録領域を識別し、前記データ記録領域に記録されたデータを再生する第２の再生手段と、
を備えたことを特徴とする光ディスク装置。
【請求項７】
第１のヘッダデータであることを示す第１の識別データを含む第１のヘッダデータ、並びにこの第１のヘッダデータと実質的に同一なデータであって第２のヘッダデータであることを示す第２の識別データを含む第２のヘッダデータが記録されたヘッダ領域、及びこのヘッダ領域に続く領域であってこのヘッダ領域に記録された前記第１及び第２のヘッダデータに基づきデータの記録又は再生を受けるデータ記録領域を有する光ディスクから前記ヘッダデータを含む各種データを再生する光ディスク装置において、
前記光ディスクから前記第１及び第２のヘッダデータを再生する再生手段と、
この再生手段により再生された前記第１及び第２のヘッダデータに基づき、前記ヘッダ領域を検知したことを示すヘッダ信号を出力するヘッダ信号出力手段と、
前記再生手段により前記第１のヘッダデータに含まれる前記第１の識別データが再生されたときには、この第１の識別データに基づき、擬似的に前記ヘッダ領域を検知したことを示す第１の疑似ヘッダ信号を第１のタイミングで出力し、前記再生手段により前記第１のヘッダデータに含まれる前記第１の識別データが再生されずに、前記第２のヘッダデータに含まれる前記第２の識別データが再生されたときには、この第２の識別データに基づき、擬似的に前記ヘッダ領域を検知したことを示す第２の疑似ヘッダ信号を第２のタイミングで出力する疑似ヘッダ信号出力手段と、
前記ヘッダ信号出力手段により出力された前記ヘッダ信号、及び前記疑似ヘッダ信号出力手段により出力される前記第１並びに第２の疑似ヘッダ信号のうちのどちらか一方の疑似ヘッダ信号に基づき、前記ヘッダ領域及び前記データ記録領域を識別し、前記データ記録領域に対してデータを記録する記録手段と、
を備えたことを特徴とする光ディスク装置。
【請求項８】
前記疑似ヘッダ信号出力手段が、
前記第１のヘッダデータに含まれる前記第１の識別データが再生されてから、前記データ記録領域に記録された同期コードが再生されるまでの間、前記第１の疑似ヘッダ信号を出力する第１の出力手段と、
前記第２のヘッダデータに含まれる前記第２の識別データが再生されてから、前記データ記録領域に記録された同期コードが再生されるまでの間、前記第２の疑似ヘッダ信号を出力する第２の出力手段と、
を含むことを特徴とする請求項２又は請求項３又は請求項６又は請求項７に記載の光ディスク装置。
【請求項９】
第１のヘッダデータであることを示す第１の識別データを含む第１のヘッダデータ、並びにこの第１のヘッダデータと実質的に同一なデータであって第２のヘッダデータであることを示す第２の識別データを含む第２のヘッダデータが記録された第１のヘッダ領域、この第１のヘッダ領域に続く領域であって前記第１又は第２のヘッダデータに基づきデータの記録又は再生を受ける第１のデータ記録領域、この第１のデータ記録領域に続く領域であって第３のヘッダデータであることを示す第３の識別データを含む第３のヘッダデータ、並びにこの第３のヘッダデータと実質的に同一なデータであって第４のヘッダデータであることを示す第４の識別データを含む第４のヘッダデータが記録された第２のヘッダ領域、及びこの第２のヘッダ領域に続く領域であって前記第３又は第４のヘッダデータに基づきデータの記録又は再生を受ける第２のデータ記録領域を有する光ディスクから前記第１、第２、第３、及び第４のヘッダデータを含む各種データを再生する光ディスク装置において、
前記光ディスクから前記第１、第２、第３、及び第４のヘッダデータを再生する再生手段と、
この再生手段により前記第１のヘッダデータに含まれる前記第１の識別データが再生されたときには、この第１の識別データに基づき、擬似的に前記第１のヘッダ領域を検知したことを示す第１の疑似ヘッダ信号を第１のタイミングで出力するとともに、擬似的に前記第２のヘッダ領域を検知したことを示す第２の疑似ヘッダ信号を第２のタイミングで出力し、前記再生手段により前記第１のヘッダデータに含まれる前記第１の識別データが再生されずに、前記第２のヘッダデータに含まれる前記第２の識別データが再生されたときには、この第２の識別データに基づき、擬似的に前記第１のヘッダ領域を検知したことを示す第３の疑似ヘッダ信号を第３のタイミングで出力するとともに、擬似的に前記第２のヘッダ領域を検知したことを示す前記第２の疑似ヘッダ信号を前記第２のタイミングで出力する疑似ヘッダ信号出力手段と、
を備えたことを特徴とする光ディスク装置。
【請求項１０】
第１のヘッダデータであることを示す第１の識別データを含む第１のヘッダデータ、並びにこの第１のヘッダデータと実質的に同一なデータであって第２のヘッダデータであることを示す第２の識別データを含む第２のヘッダデータが記録された第１のヘッダ領域、この第１のヘッダ領域に続く領域であって前記第１又は第２のヘッダデータに基づきデータの記録又は再生を受ける第１のデータ記録領域、この第１のデータ記録領域に続く領域であって第３のヘッダデータであることを示す第３の識別データを含む第３のヘッダデータ、並びにこの第３のヘッダデータと実質的に同一なデータであって第４のヘッダデータであることを示す第４の識別データを含む第４のヘッダデータが記録された第２のヘッダ領域、及びこの第２のヘッダ領域に続く領域であって前記第３又は第４のヘッダデータに基づきデータの記録又は再生を受ける第２のデータ記録領域を有する光ディスクから前記第１、第２、第３、及び第４のヘッダデータを含む各種データを再生する光ディスク装置において、
前記光ディスクから前記第１、第２、第３、及び第４のヘッダデータを再生する第１の再生手段と、
この第１の再生手段により前記第１のヘッダデータに含まれる前記第１の識別データが再生されたときには、この第１の識別データに基づき、擬似的に前記第１のヘッダ領域を検知したことを示す第１の疑似ヘッダ信号を第１のタイミングで出力するとともに、擬似的に前記第２のヘッダ領域を検知したことを示す第２の疑似ヘッダ信号を第２のタイミングで出力し、前記第１の再生手段により前記第１のヘッダデータに含まれる前記第１の識別データが再生されずに、前記第２のヘッダデータに含まれる前記第２の識別データが再生されたときには、この第２の識別データに基づき、擬似的に前記第１のヘッダ領域を検知したことを示す第３の疑似ヘッダ信号を第３のタイミングで出力するとともに、擬似的に前記第２のヘッダ領域を検知したことを示す前記第２の疑似ヘッダ信号を前記第２のタイミングで出力する疑似ヘッダ信号出力手段と、
この疑似ヘッダ信号出力手段により出力される前記第１及び第３の疑似ヘッダ信号のうちのどちらか一方の疑似ヘッダ信号に基づき、前記第１のデータ記録領域に記録されたデータを再生し、前記第２の疑似ヘッダ信号に基づき、前記第２のデータ記録領域に記録されたデータを再生する第２の再生手段と、
を備えたことを特徴とする光ディスク装置。
【請求項１１】
第１のヘッダデータであることを示す第１の識別データを含む第１のヘッダデータ、並びにこの第１のヘッダデータと実質的に同一なデータであって第２のヘッダデータであることを示す第２の識別データを含む第２のヘッダデータが記録された第１のヘッダ領域、この第１のヘッダ領域に続く領域であって前記第１又は第２のヘッダデータに基づきデータの記録又は再生を受ける第１のデータ記録領域、この第１のデータ記録領域に続く領域であって第３のヘッダデータであることを示す第３の識別データを含む第３のヘッダデータ、並びにこの第３のヘッダデータと実質的に同一なデータであって第４のヘッダデータであることを示す第４の識別データを含む第４のヘッダデータが記録された第２のヘッダ領域、及びこの第２のヘッダ領域に続く領域であって前記第３又は第４のヘッダデータに基づきデータの記録又は再生を受ける第２のデータ記録領域を有する光ディスクから前記第１、第２、第３、及び第４のヘッダデータを含む各種データを再生する光ディスク装置において、
前記光ディスクから前記第１、第２、第３、及び第４のヘッダデータを再生する再生手段と、
この再生手段により前記第１のヘッダデータに含まれる前記第１の識別データが再生されたときには、この第１の識別データに基づき、擬似的に前記第１のヘッダ領域を検知したことを示す第１の疑似ヘッダ信号を第１のタイミングで出力するとともに、擬似的に前記第２のヘッダ領域を検知したことを示す第２の疑似ヘッダ信号を第２のタイミングで出力し、前記再生手段により前記第１のヘッダデータに含まれる前記第１の識別データが再生されずに、前記第２のヘッダデータに含まれる前記第２の識別データが再生されたときには、この第２の識別データに基づき、擬似的に前記第１のヘッダ領域を検知したことを示す第３の疑似ヘッダ信号を第３のタイミングで出力するとともに、擬似的に前記第２のヘッダ領域を検知したことを示す前記第２の疑似ヘッダ信号を前記第２のタイミングで出力する疑似ヘッダ信号出力手段と、
この疑似ヘッダ信号出力手段により出力される前記第１及び第３の疑似ヘッダ信号のうちのどちらか一方の疑似ヘッダ信号に基づき、前記第１のデータ記録領域に対してデータを記録し、前記第２の疑似ヘッダ信号に基づき、前記第２のデータ記録領域に対してデータを記録する記録手段と、
を備えたことを特徴とする光ディスク装置。
【請求項１２】
第１のヘッダデータが記録された第１のヘッダ領域、この第１のヘッダ領域に続く領域であって前記第１のヘッダデータに基づきデータの記録又は再生を受ける第１のデータ記録領域、この第１のデータ記録領域に続く領域であって第２のヘッダデータが記録された第２のヘッダ領域、及びこの第２のヘッダ領域に続く領域であって前記第２のヘッダデータに基づきデータの記録又は再生を受ける第２のデータ記録領域を有する光ディスクから前記第１及び第２のヘッダデータを含む各種データを再生する光ディスク装置において、
前記光ディスクから前記第１及び第２のヘッダデータを再生する第１の再生手段と、
この第１の再生手段により再生された前記第１のヘッダデータに基づき前記第１のヘッダ領域を検知したことを示す第１のヘッダ信号を出力し、前記第２のヘッダデータに基づき前記第２のヘッダ領域を検知したことを示す第２のヘッダ信号を出力するヘッダ信号出力手段と、
前記第１の再生手段により再生された前記第１のヘッダデータに含まれる所定のデータに基づき、擬似的に前記第１のヘッダ領域を検知したことを示す第１の疑似ヘッダ信号、及び擬似的に前記第２のヘッダ領域を検知したことを示す第２の疑似ヘッダ信号を夫々所定のタイミングで出力する疑似ヘッダ信号出力手段と、
前記ヘッダ信号出力手段により出力された前記第１のヘッダ信号、及び前記疑似ヘッダ信号出力手段により出力された前記第１の疑似ヘッダ信号に基づき、前記第１のヘッダ領域及び前記第１のデータ記録領域を識別し、前記第１のデータ記録領域に記録されたデータを再生し、前記疑似ヘッダ信号出力手段により出力された前記第２の疑似ヘッダ信号に基づき、前記第２のヘッダ領域及び前記第２のデータ記録領域を識別し、前記第２のデータ記録領域に記録されたデータを再生する第２の再生手段と、
を備えたことを特徴とする光ディスク装置。
【請求項１３】
第１のヘッダデータが記録された第１のヘッダ領域、この第１のヘッダ領域に続く領域であって前記第１のヘッダデータに基づきデータの記録又は再生を受ける第１のデータ記録領域、この第１のデータ記録領域に続く領域であって第２のヘッダデータが記録された第２のヘッダ領域、及びこの第２のヘッダ領域に続く領域であって前記第２のヘッダデータに基づきデータの記録又は再生を受ける第２のデータ記録領域を有する光ディスクから前記第１及び第２のヘッダデータを含む各種データを再生する光ディスク装置において、
前記光ディスクから前記第１及び第２のヘッダデータを再生する再生手段と、
この再生手段により再生された前記第１のヘッダデータに基づき前記第１のヘッダ領域を検知したことを示す第１のヘッダ信号を出力し、前記第２のヘッダデータに基づき前記第２のヘッダ領域を検知したことを示す第２のヘッダ信号を出力するヘッダ信号出力手段と、
前記再生手段により再生された前記第１のヘッダデータに含まれる所定のデータに基づき、擬似的に前記第１のヘッダ領域を検知したことを示す第１の疑似ヘッダ信号、及び擬似的に前記第２のヘッダ領域を検知したことを示す第２の疑似ヘッダ信号を夫々所定のタイミングで出力する疑似ヘッダ信号出力手段と、
前記ヘッダ信号出力手段により出力された前記第１のヘッダ信号、及び前記疑似ヘッダ信号出力手段により出力された前記第１の疑似ヘッダ信号に基づき、前記第１のヘッダ領域及び前記第１のデータ記録領域を識別し、前記第１のデータ記録領域に対してデータを記録し、前記疑似ヘッダ信号出力手段により出力された前記第２の疑似ヘッダ信号に基づき、前記第２のヘッダ領域及び前記第２のデータ記録領域を識別し、前記第２のデータ記録領域に対してデータを記録する記録手段と、
を備えたことを特徴とする光ディスク装置。
【請求項１４】
第１のヘッダデータであることを示す第１の識別データを含む第１のヘッダデータ、並びにこの第１のヘッダデータと実質的に同一なデータであって第２のヘッダデータであることを示す第２の識別データを含む第２のヘッダデータが記録された第１のヘッダ領域、この第１のヘッダ領域に続く領域であって前記第１又は第２のヘッダデータに基づきデータの記録又は再生を受ける第１のデータ記録領域、この第１のデータ記録領域に続く領域であって第３のヘッダデータであることを示す第３の識別データを含む第３のヘッダデータ、並びにこの第３のヘッダデータと実質的に同一なデータであって第４のヘッダデータであることを示す第４の識別データを含む第４のヘッダデータが記録された第２のヘッダ領域、及びこの第２のヘッダ領域に続く領域であって前記第３又は第４のヘッダデータに基づきデータの記録又は再生を受ける第２のデータ記録領域を有する光ディスクから前記第１、第２、第３、及び第４のヘッダデータを含む各種データを再生する光ディスク装置において、
前記光ディスクから前記第１、第２、第３、及び第４のヘッダデータを再生する第１の再生手段と、
この第１の再生手段により再生された前記第１又は第２のヘッダデータに基づき前記第１のヘッダ領域を検知したことを示す第１のヘッダ信号を出力し、前記第３又は第４のヘッダデータに基づき前記第２のヘッダ領域を検知したことを示す第２のヘッダ信号を出力するヘッダ信号出力手段と、
前記第１の再生手段により前記第１のヘッダデータに含まれる前記第１の識別データが再生されたときには、この第１の識別データに基づき、擬似的に前記第１のヘッダ領域を検知したことを示す第１の疑似ヘッダ信号を第１のタイミングで出力するとともに、擬似的に前記第２のヘッダ領域を検知したことを示す第２の疑似ヘッダ信号を第２のタイミングで出力し、前記第１の再生手段により前記第１のヘッダデータに含まれる前記第１の識別データが再生されずに、前記第２のヘッダデータに含まれる前記第２の識別データが再生されたときには、この第２の識別データに基づき、擬似的に前記第１のヘッダ領域を検知したことを示す第３の疑似ヘッダ信号を第３のタイミングで出力するとともに、擬似的に前記第２のヘッダ領域を検知したことを示す前記第２の疑似ヘッダ信号を前記第２のタイミングで出力する疑似ヘッダ信号出力手段と、
前記ヘッダ信号出力手段により出力された前記第１のヘッダ信号、及び前記疑似ヘッダ信号出力手段により出力される前記第１並びに第３の疑似ヘッダ信号のうちのどちらか一方の疑似ヘッダ信号に基づき、前記第１のヘッダ領域及び前記第１のデータ記録領域を識別し、前記第１のデータ記録領域に記録されたデータを再生し、前記第２の疑似ヘッダ信号に基づき、前記第２のヘッダ領域及び前記第２のデータ記録領域を識別し、前記第２のデータ記録領域に記録されたデータを再生する第２の再生手段と、
を備えたことを特徴とする光ディスク装置。
【請求項１５】
第１のヘッダデータであることを示す第１の識別データを含む第１のヘッダデータ、並びにこの第１のヘッダデータと実質的に同一なデータであって第２のヘッダデータであることを示す第２の識別データを含む第２のヘッダデータが記録された第１のヘッダ領域、この第１のヘッダ領域に続く領域であって前記第１又は第２のヘッダデータに基づきデータの記録又は再生を受ける第１のデータ記録領域、この第１のデータ記録領域に続く領域であって第３のヘッダデータであることを示す第３の識別データを含む第３のヘッダデータ、並びにこの第３のヘッダデータと実質的に同一なデータであって第４のヘッダデータであることを示す第４の識別データを含む第４のヘッダデータが記録された第２のヘッダ領域、及びこの第２のヘッダ領域に続く領域であって前記第３又は第４のヘッダデータに基づきデータの記録又は再生を受ける第２のデータ記録領域を有する光ディスクから前記第１、第２、第３、及び第４のヘッダデータを含む各種データを再生する光ディスク装置において、
前記光ディスクから前記第１、第２、第３、及び第４のヘッダデータを再生する再生手段と、
この再生手段により再生された前記第１又は第２のヘッダデータに基づき前記第１のヘッダ領域を検知したことを示す第１のヘッダ信号を出力し、前記第３又は第４のヘッダデータに基づき前記第２のヘッダ領域を検知したことを示す第２のヘッダ信号を出力するヘッダ信号出力手段と、
前記再生手段により前記第１のヘッダデータに含まれる前記第１の識別データが再生されたときには、この第１の識別データに基づき、擬似的に前記第１のヘッダ領域を検知したことを示す第１の疑似ヘッダ信号を第１のタイミングで出力するとともに、擬似的に前記第２のヘッダ領域を検知したことを示す第２の疑似ヘッダ信号を第２のタイミングで出力し、前記再生手段により前記第１のヘッダデータに含まれる前記第１の識別データが再生されずに、前記第２のヘッダデータに含まれる前記第２の識別データが再生されたときには、この第２の識別データに基づき、擬似的に前記第１のヘッダ領域を検知したことを示す第３の疑似ヘッダ信号を第３のタイミングで出力するとともに、擬似的に前記第２のヘッダ領域を検知したことを示す前記第２の疑似ヘッダ信号を前記第２のタイミングで出力する疑似ヘッダ信号出力手段と、
前記ヘッダ信号出力手段により出力された前記第１のヘッダ信号、及び前記疑似ヘッダ信号出力手段により出力される前記第１並びに第３の疑似ヘッダ信号のうちのどちらか一方の疑似ヘッダ信号に基づき、前記第１のヘッダ領域及び前記第１のデータ記録領域を識別し、前記第１のデータ記録領域に対してデータを記録し、前記第２の疑似ヘッダ信号に基づき、前記第２のヘッダ領域及び前記第２のデータ記録領域を識別し、前記第２のデータ記録領域に対してデータを記録する記録手段と、
を備えたことを特徴とする光ディスク装置。
【請求項１６】
前記疑似ヘッダ信号出力手段が、
前記第１のヘッダデータに含まれる前記第１の識別データが再生されてから、前記第１のデータ記録領域に記録された同期コードが再生されるまでの間、前記第１の疑似ヘッダ信号を出力する第１の出力手段と、
前記第１のデータ記録領域と前記第２のヘッダ領域との境界に相当する前記第１のデータ記録領域の所定の領域が再生されてから、前記第２のデータ記録領域に記録された同期コードが再生されるまでの間、前記第２の疑似ヘッダ信号を出力する第２の出力手段と、
前記第２のヘッダデータに含まれる前記第２の識別データが再生されてから、前記第１のデータ記録領域に記録された同期コードが再生されるまでの間、前記第３の疑似ヘッダ信号を出力する第３の出力手段と、
を含むことを特徴とする請求項１０又は請求項１１又は請求項１４又は請求項１５に記載の光ディスク装置。
【発明の詳細な説明】
【０００１】
【発明の属する技術分野】
この発明は、所定の情報の記録を担うＤＶＤ（Digital Video Disk）−ＲＡＭ（random access memory）などの光ディスク関する。また、この発明は、光ディスクに記録されたデータの再生、及び光ディスクに対するデータの記録を行う光ディスク装置に関する。
【０００２】
【従来の技術】
一般的に、光ディスクには、不連続なスパイラル状の溝によりグルーブトラックが形成されている。また、グルーブトラックとグルーブトラックの間の位置に相当するトラックが、ランドトラックと呼ばれる。また、トラックとトラックの間には、ヘッダフィールドが形成される。このヘッダフィールドには、このヘッダフィールドに続くランドトラック又はグルーブトラックの領域（レコーディングフィールド）に関するヘッダデータがエンボス記録されている。また、このヘッダデータは、ランドトラック及びグルーブトラックに対して千鳥状に配置される。
【０００３】
ヘッダフィールドに対して照射された光ビームの反射光には、ヘッダフィールドに千鳥状に配置されたヘッダデータの影響により、ある特徴が見られる。従来は、この特徴を検出することで、ヘッダフィールドを検出していた。ヘッダフィールドが検出されると、このヘッダフィールドのヘッダデータに含まれる各種データが検出される。そして、この検出された各種データに基づき、レコーディングフィールドが再生される。或は、レコーディングフィールドに対してデータが記録される。
【０００４】
【発明が解決しようとする課題】
とろこが、上記したような従来のヘッダフィールドの検出は、反射光の特徴という比較的不安定な要素からヘッダフィールドを検出しているため、検出精度に問題があったこのようにヘッダフィールドの検出の信頼が低いと、レコーディングフィールドの再生、又はレコーディングフィールドに対するデータの記録が正常にできないという問題も起り得る。
【０００５】
この発明の目的は、不安定なヘッダフィールドの検出による悪影響を受けることなく、レコーディングフィールドに記録されたデータの再生、及びレコーディングフィールドに対するデータの記録を正常に行うことが可能な光ディスク装置を提供することにある。
【０００６】
【課題を解決するための手段】
上記課題を解決し目的を達成するために、この発明の光ディスク装置は、以下のように構成されている。
【００１０】
この発明は、第１のヘッダデータであることを示す第１の識別データ（ＰＩＤ１）を含む第１のヘッダデータ（ヘッダ１フィールド）、並びにこの第１のヘッダデータと実質的に同一なデータであって第２のヘッダデータであることを示す第２の識別データ（ＰＩＤ２）を含む第２のヘッダデータ（ヘッダ２フィールド）が記録されたヘッダ領域（ヘッダフィールドＨＦ１）、及びこのヘッダ領域に続く領域であってこのヘッダ領域に記録された前記第１及び第２のヘッダデータに基づきデータの記録又は再生を受けるデータ記録領域（レコーディングフィールドＲＥ１）を有する光ディスクから前記ヘッダデータを含む各種データを再生する光ディスク装置において、前記光ディスクから前記第１及び第２のヘッダデータを再生する再生手段と、この再生手段により前記第１のヘッダデータに含まれる前記第１の識別データが再生されたときには、この第１の識別データに基づき、擬似的に前記ヘッダ領域を検知したことを示す第１の疑似ヘッダ信号を第１のタイミングで出力し、前記再生手段により前記第１のヘッダデータに含まれる前記第１の識別データが再生されずに、前記第２のヘッダデータに含まれる前記第２の識別データが再生されたときには、この第２の識別データに基づき、擬似的に前記ヘッダ領域を検知したことを示す第２の疑似ヘッダ信号を第２のタイミングで出力する疑似ヘッダ信号出力手段とを備えている。
【００１１】
この発明は、第１のヘッダデータであることを示す第１の識別データを含む第１のヘッダデータ、並びにこの第１のヘッダデータと実質的に同一なデータであって第２のヘッダデータであることを示す第２の識別データを含む第２のヘッダデータが記録されたヘッダ領域、及びこのヘッダ領域に続く領域であってこのヘッダ領域に記録された前記第１及び第２のヘッダデータに基づきデータの記録又は再生を受けるデータ記録領域を有する光ディスクから前記ヘッダデータを含む各種データを再生する光ディスク装置において、前記光ディスクから前記第１及び第２のヘッダデータを再生する第１の再生手段と、この第１の再生手段により前記第１のヘッダデータに含まれる前記第１の識別データが再生されたときには、この第１の識別データに基づき、擬似的に前記ヘッダ領域を検知したことを示す第１の疑似ヘッダ信号を第１のタイミングで出力し、前記第１の再生手段により前記第１のヘッダデータに含まれる前記第１の識別データが再生されずに、前記第２のヘッダデータに含まれる前記第２の識別データが再生されたときには、この第２の識別データに基づき、擬似的に前記ヘッダ領域を検知したことを示す第２の疑似ヘッダ信号を第２のタイミングで出力する疑似ヘッダ信号出力手段と、この疑似ヘッダ信号出力手段により出力される前記第１及び第２の疑似ヘッダ信号のうちのどちらか一方の疑似ヘッダ信号に基づき、前記データ記録領域に記録されたデータを再生する第２の再生手段とを備えている。
【００１２】
この発明は、第１のヘッダデータであることを示す第１の識別データを含む第１のヘッダデータ、並びにこの第１のヘッダデータと実質的に同一なデータであって第２のヘッダデータであることを示す第２の識別データを含む第２のヘッダデータが記録されたヘッダ領域、及びこのヘッダ領域に続く領域であってこのヘッダ領域に記録された前記第１及び第２のヘッダデータに基づきデータの記録又は再生を受けるデータ記録領域を有する光ディスクから前記ヘッダデータを含む各種データを再生する光ディスク装置において、前記光ディスクから前記第１及び第２のヘッダデータを再生する再生手段と、この再生手段により前記第１のヘッダデータに含まれる前記第１の識別データが再生されたときには、この第１の識別データに基づき、擬似的に前記ヘッダ領域を検知したことを示す第１の疑似ヘッダ信号を第１のタイミングで出力し、前記再生手段により前記第１のヘッダデータに含まれる前記第１の識別データが再生されずに、前記第２のヘッダデータに含まれる前記第２の識別データが再生されたときには、この第２の識別データに基づき、擬似的に前記ヘッダ領域を検知したことを示す第２の疑似ヘッダ信号を第２のタイミングで出力する疑似ヘッダ信号出力手段と、この疑似ヘッダ信号出力手段により出力される前記第１及び第２の疑似ヘッダ信号のうちのどちらか一方の疑似ヘッダ信号に基づき、前記データ記録領域に対してデータを記録する記録手段とを備えている。
【００１３】
この発明は、ヘッダデータが記録されたヘッダ領域、及びこのヘッダ領域に続く領域であってこのヘッダ領域に記録された前記ヘッダデータに基づきデータの記録又は再生を受けるデータ記録領域を有する光ディスクから前記ヘッダデータを含む各種データを再生する光ディスク装置において、前記光ディスクから前記ヘッダデータを再生する第１の再生手段と、この第１の再生手段により再生された前記ヘッダデータに基づき、前記ヘッダ領域を検知したことを示すヘッダ信号を出力するヘッダ信号出力手段と、前記第１の再生手段により再生された前記ヘッダデータに含まれる所定のデータに基づき、擬似的に前記ヘッダ領域を検知したことを示す疑似ヘッダ信号を所定のタイミングで出力する疑似ヘッダ信号出力手段と、前記ヘッダ信号出力手段により出力された前記ヘッダ信号、及び前記疑似ヘッダ信号出力手段により出力された前記疑似ヘッダ信号に基づき、前記ヘッダ領域及び前記データ記録領域を識別し、前記データ記録領域に記録されたデータを再生する第２の再生手段とを備えている。
【００１４】
この発明は、ヘッダデータが記録されたヘッダ領域、及びこのヘッダ領域に続く領域であってこのヘッダ領域に記録された前記ヘッダデータに基づきデータの記録又は再生を受けるデータ記録領域を有する光ディスクから前記ヘッダデータを含む各種データを再生する光ディスク装置において、前記光ディスクから前記ヘッダデータを再生する再生手段と、この再生手段により再生された前記ヘッダデータに基づき、前記ヘッダ領域を検知したことを示すヘッダ信号を出力するヘッダ信号出力手段と、前記再生手段により再生された前記ヘッダデータに含まれる所定のデータに基づき、擬似的に前記ヘッダ領域を検知したことを示す疑似ヘッダ信号を所定のタイミングで出力する疑似ヘッダ信号出力手段と、前記ヘッダ信号出力手段により出力された前記ヘッダ信号、及び前記疑似ヘッダ信号出力手段により出力された前記疑似ヘッダ信号に基づき、前記ヘッダ領域及び前記データ記録領域を識別し、前記データ記録領域に対してデータを記録する記録手段とを備えている。
【００１５】
この発明は、第１のヘッダデータであることを示す第１の識別データを含む第１のヘッダデータ、並びにこの第１のヘッダデータと実質的に同一なデータであって第２のヘッダデータであることを示す第２の識別データを含む第２のヘッダデータが記録されたヘッダ領域、及びこのヘッダ領域に続く領域であってこのヘッダ領域に記録された前記第１及び第２のヘッダデータに基づきデータの記録又は再生を受けるデータ記録領域を有する光ディスクから前記ヘッダデータを含む各種データを再生する光ディスク装置において、前記光ディスクから前記第１及び第２のヘッダデータを再生する第１の再生手段と、この第１の再生手段により再生された前記第１及び第２のヘッダデータに基づき、前記ヘッダ領域を検知したことを示すヘッダ信号を出力するヘッダ信号出力手段と、前記第１の再生手段により前記第１のヘッダデータに含まれる前記第１の識別データが再生されたときには、この第１の識別データに基づき、擬似的に前記ヘッダ領域を検知したことを示す第１の疑似ヘッダ信号を第１のタイミングで出力し、前記第１の再生手段により前記第１のヘッダデータに含まれる前記第１の識別データが再生されずに、前記第２のヘッダデータに含まれる前記第２の識別データが再生されたときには、この第２の識別データに基づき、擬似的に前記ヘッダ領域を検知したことを示す第２の疑似ヘッダ信号を第２のタイミングで出力する疑似ヘッダ信号出力手段と、前記ヘッダ信号出力手段により出力された前記ヘッダ信号、及び前記疑似ヘッダ信号出力手段により出力される前記第１並びに第２の疑似ヘッダ信号のうちのどちらか一方の疑似ヘッダ信号に基づき、前記ヘッダ領域及び前記データ記録領域を識別し、前記データ記録領域に記録されたデータを再生する第２の再生手段とを備えている。
【００１６】
この発明は、第１のヘッダデータであることを示す第１の識別データを含む第１のヘッダデータ、並びにこの第１のヘッダデータと実質的に同一なデータであって第２のヘッダデータであることを示す第２の識別データを含む第２のヘッダデータが記録されたヘッダ領域、及びこのヘッダ領域に続く領域であってこのヘッダ領域に記録された前記第１及び第２のヘッダデータに基づきデータの記録又は再生を受けるデータ記録領域を有する光ディスクから前記ヘッダデータを含む各種データを再生する光ディスク装置において、前記光ディスクから前記第１及び第２のヘッダデータを再生する再生手段と、この再生手段により再生された前記第１及び第２のヘッダデータに基づき、前記ヘッダ領域を検知したことを示すヘッダ信号を出力するヘッダ信号出力手段と、前記再生手段により前記第１のヘッダデータに含まれる前記第１の識別データが再生されたときには、この第１の識別データに基づき、擬似的に前記ヘッダ領域を検知したことを示す第１の疑似ヘッダ信号を第１のタイミングで出力し、前記再生手段により前記第１のヘッダデータに含まれる前記第１の識別データが再生されずに、前記第２のヘッダデータに含まれる前記第２の識別データが再生されたときには、この第２の識別データに基づき、擬似的に前記ヘッダ領域を検知したことを示す第２の疑似ヘッダ信号を第２のタイミングで出力する疑似ヘッダ信号出力手段と、前記ヘッダ信号出力手段により出力された前記ヘッダ信号、及び前記疑似ヘッダ信号出力手段により出力される前記第１並びに第２の疑似ヘッダ信号のうちのどちらか一方の疑似ヘッダ信号に基づき、前記ヘッダ領域及び前記データ記録領域を識別し、前記データ記録領域に対してデータを記録する記録手段とを備えている。
【００２０】
この発明は、第１のヘッダデータであることを示す第１の識別データ（ＰＩＤ１）を含む第１のヘッダデータ（ヘッダ１フィールド）、並びにこの第１のヘッダデータと実質的に同一なデータであって第２のヘッダデータであることを示す第２の識別データ（ＰＩＤ２）を含む第２のヘッダデータ（ヘッダ２フィールド）が記録された第１のヘッダ領域（ヘッダフィールドＨＦ１）、この第１のヘッダ領域に続く領域であって前記第１又は第２のヘッダデータに基づきデータの記録又は再生を受ける第１のデータ記録領域（レコーディングフィールドＲＥ１）、この第１のデータ記録領域に続く領域であって第３のヘッダデータであることを示す第３の識別データ（ＰＩＤ１）を含む第３のヘッダデータ（ヘッダ１フィールド）、並びにこの第３のヘッダデータと実質的に同一なデータであって第４のヘッダデータであることを示す第４の識別データを含む第４のヘッダデータ（ヘッダ２フィールド）が記録された第２のヘッダ領域（ヘッダフィールドＨＦ２）、及びこの第２のヘッダ領域に続く領域であって前記第３又は第４のヘッダデータに基づきデータの記録又は再生を受ける第２のデータ記録領域（レコーディングフィールドＲＥ２）を有する光ディスクから前記第１、第２、第３、及び第４のヘッダデータを含む各種データを再生する光ディスク装置において、前記光ディスクから前記第１、第２、第３、及び第４のヘッダデータを再生する再生手段と、この再生手段により前記第１のヘッダデータに含まれる前記第１の識別データが再生されたときには、この第１の識別データに基づき、擬似的に前記第１のヘッダ領域を検知したことを示す第１の疑似ヘッダ信号を第１のタイミングで出力するとともに、擬似的に前記第２のヘッダ領域を検知したことを示す第２の疑似ヘッダ信号を第２のタイミングで出力し、前記再生手段により前記第１のヘッダデータに含まれる前記第１の識別データが再生されずに、前記第２のヘッダデータに含まれる前記第２の識別データが再生されたときには、この第２の識別データに基づき、擬似的に前記第１のヘッダ領域を検知したことを示す第３の疑似ヘッダ信号を第３のタイミングで出力するとともに、擬似的に前記第２のヘッダ領域を検知したことを示す前記第２の疑似ヘッダ信号を前記第２のタイミングで出力する疑似ヘッダ信号出力手段とを備えている。
【００２１】
この発明は、第１のヘッダデータであることを示す第１の識別データを含む第１のヘッダデータ、並びにこの第１のヘッダデータと実質的に同一なデータであって第２のヘッダデータであることを示す第２の識別データを含む第２のヘッダデータが記録された第１のヘッダ領域、この第１のヘッダ領域に続く領域であって前記第１又は第２のヘッダデータに基づきデータの記録又は再生を受ける第１のデータ記録領域、この第１のデータ記録領域に続く領域であって第３のヘッダデータであることを示す第３の識別データを含む第３のヘッダデータ、並びにこの第３のヘッダデータと実質的に同一なデータであって第４のヘッダデータであることを示す第４の識別データを含む第４のヘッダデータが記録された第２のヘッダ領域、及びこの第２のヘッダ領域に続く領域であって前記第３又は第４のヘッダデータに基づきデータの記録又は再生を受ける第２のデータ記録領域を有する光ディスクから前記第１、第２、第３、及び第４のヘッダデータを含む各種データを再生する光ディスク装置において、前記光ディスクから前記第１、第２、第３、及び第４のヘッダデータを再生する第１の再生手段と、この第１の再生手段により前記第１のヘッダデータに含まれる前記第１の識別データが再生されたときには、この第１の識別データに基づき、擬似的に前記第１のヘッダ領域を検知したことを示す第１の疑似ヘッダ信号を第１のタイミングで出力するとともに、擬似的に前記第２のヘッダ領域を検知したことを示す第２の疑似ヘッダ信号を第２のタイミングで出力し、前記第１の再生手段により前記第１のヘッダデータに含まれる前記第１の識別データが再生されずに、前記第２のヘッダデータに含まれる前記第２の識別データが再生されたときには、この第２の識別データに基づき、擬似的に前記第１のヘッダ領域を検知したことを示す第３の疑似ヘッダ信号を第３のタイミングで出力するとともに、擬似的に前記第２のヘッダ領域を検知したことを示す前記第２の疑似ヘッダ信号を前記第２のタイミングで出力する疑似ヘッダ信号出力手段と、この疑似ヘッダ信号出力手段により出力される前記第１及び第３の疑似ヘッダ信号のうちのどちらか一方の疑似ヘッダ信号に基づき、前記第１のデータ記録領域に記録されたデータを再生し、前記第２の疑似ヘッダ信号に基づき、前記第２のデータ記録領域に記録されたデータを再生する第２の再生手段とを備えている。
【００２２】
この発明は、第１のヘッダデータであることを示す第１の識別データを含む第１のヘッダデータ、並びにこの第１のヘッダデータと実質的に同一なデータであって第２のヘッダデータであることを示す第２の識別データを含む第２のヘッダデータが記録された第１のヘッダ領域、この第１のヘッダ領域に続く領域であって前記第１又は第２のヘッダデータに基づきデータの記録又は再生を受ける第１のデータ記録領域、この第１のデータ記録領域に続く領域であって第３のヘッダデータであることを示す第３の識別データを含む第３のヘッダデータ、並びにこの第３のヘッダデータと実質的に同一なデータであって第４のヘッダデータであることを示す第４の識別データを含む第４のヘッダデータが記録された第２のヘッダ領域、及びこの第２のヘッダ領域に続く領域であって前記第３又は第４のヘッダデータに基づきデータの記録又は再生を受ける第２のデータ記録領域を有する光ディスクから前記第１、第２、第３、及び第４のヘッダデータを含む各種データを再生する光ディスク装置において、前記光ディスクから前記第１、第２、第３、及び第４のヘッダデータを再生する再生手段と、この再生手段により前記第１のヘッダデータに含まれる前記第１の識別データが再生されたときには、この第１の識別データに基づき、擬似的に前記第１のヘッダ領域を検知したことを示す第１の疑似ヘッダ信号を第１のタイミングで出力するとともに、擬似的に前記第２のヘッダ領域を検知したことを示す第２の疑似ヘッダ信号を第２のタイミングで出力し、前記再生手段により前記第１のヘッダデータに含まれる前記第１の識別データが再生されずに、前記第２のヘッダデータに含まれる前記第２の識別データが再生されたときには、この第２の識別データに基づき、擬似的に前記第１のヘッダ領域を検知したことを示す第３の疑似ヘッダ信号を第３のタイミングで出力するとともに、擬似的に前記第２のヘッダ領域を検知したことを示す前記第２の疑似ヘッダ信号を前記第２のタイミングで出力する疑似ヘッダ信号出力手段と、この疑似ヘッダ信号出力手段により出力される前記第１及び第３の疑似ヘッダ信号のうちのどちらか一方の疑似ヘッダ信号に基づき、前記第１のデータ記録領域に対してデータを記録し、前記第２の疑似ヘッダ信号に基づき、前記第２のデータ記録領域に対してデータを記録する記録手段とを備えている。
【００２３】
この発明は、第１のヘッダデータが記録された第１のヘッダ領域、この第１のヘッダ領域に続く領域であって前記第１のヘッダデータに基づきデータの記録又は再生を受ける第１のデータ記録領域、この第１のデータ記録領域に続く領域であって第２のヘッダデータが記録された第２のヘッダ領域、及びこの第２のヘッダ領域に続く領域であって前記第２のヘッダデータに基づきデータの記録又は再生を受ける第２のデータ記録領域を有する光ディスクから前記第１及び第２のヘッダデータを含む各種データを再生する光ディスク装置において、前記光ディスクから前記第１及び第２のヘッダデータを再生する第１の再生手段と、この第１の再生手段により再生された前記第１のヘッダデータに基づき前記第１のヘッダ領域を検知したことを示す第１のヘッダ信号を出力し、前記第２のヘッダデータに基づき前記第２のヘッダ領域を検知したことを示す第２のヘッダ信号を出力するヘッダ信号出力手段と、前記第１の再生手段により再生された前記第１のヘッダデータに含まれる所定のデータに基づき、擬似的に前記第１のヘッダ領域を検知したことを示す第１の疑似ヘッダ信号、及び擬似的に前記第２のヘッダ領域を検知したことを示す第２の疑似ヘッダ信号を夫々所定のタイミングで出力する疑似ヘッダ信号出力手段と、前記ヘッダ信号出力手段により出力された前記第１のヘッダ信号、及び前記疑似ヘッダ信号出力手段により出力された前記第１の疑似ヘッダ信号に基づき、前記第１のヘッダ領域及び前記第１のデータ記録領域を識別し、前記第１のデータ記録領域に記録されたデータを再生し、前記疑似ヘッダ信号出力手段により出力された前記第２の疑似ヘッダ信号に基づき、前記第２のヘッダ領域及び前記第２のデータ記録領域を識別し、前記第２のデータ記録領域に記録されたデータを再生する第２の再生手段とを備えている。
【００２４】
この発明は、第１のヘッダデータが記録された第１のヘッダ領域、この第１のヘッダ領域に続く領域であって前記第１のヘッダデータに基づきデータの記録又は再生を受ける第１のデータ記録領域、この第１のデータ記録領域に続く領域であって第２のヘッダデータが記録された第２のヘッダ領域、及びこの第２のヘッダ領域に続く領域であって前記第２のヘッダデータに基づきデータの記録又は再生を受ける第２のデータ記録領域を有する光ディスクから前記第１及び第２のヘッダデータを含む各種データを再生する光ディスク装置において、前記光ディスクから前記第１及び第２のヘッダデータを再生する再生手段と、この再生手段により再生された前記第１のヘッダデータに基づき前記第１のヘッダ領域を検知したことを示す第１のヘッダ信号を出力し、前記第２のヘッダデータに基づき前記第２のヘッダ領域を検知したことを示す第２のヘッダ信号を出力するヘッダ信号出力手段と、前記再生手段により再生された前記第１のヘッダデータに含まれる所定のデータに基づき、擬似的に前記第１のヘッダ領域を検知したことを示す第１の疑似ヘッダ信号、及び擬似的に前記第２のヘッダ領域を検知したことを示す第２の疑似ヘッダ信号を夫々所定のタイミングで出力する疑似ヘッダ信号出力手段と、前記ヘッダ信号出力手段により出力された前記第１のヘッダ信号、及び前記疑似ヘッダ信号出力手段により出力された前記第１の疑似ヘッダ信号に基づき、前記第１のヘッダ領域及び前記第１のデータ記録領域を識別し、前記第１のデータ記録領域に対してデータを記録し、前記疑似ヘッダ信号出力手段により出力された前記第２の疑似ヘッダ信号に基づき、前記第２のヘッダ領域及び前記第２のデータ記録領域を識別し、前記第２のデータ記録領域に対してデータを記録する記録手段とを備えている。
【００２５】
この発明は、第１のヘッダデータであることを示す第１の識別データを含む第１のヘッダデータ、並びにこの第１のヘッダデータと実質的に同一なデータであって第２のヘッダデータであることを示す第２の識別データを含む第２のヘッダデータが記録された第１のヘッダ領域、この第１のヘッダ領域に続く領域であって前記第１又は第２のヘッダデータに基づきデータの記録又は再生を受ける第１のデータ記録領域、この第１のデータ記録領域に続く領域であって第３のヘッダデータであることを示す第３の識別データを含む第３のヘッダデータ、並びにこの第３のヘッダデータと実質的に同一なデータであって第４のヘッダデータであることを示す第４の識別データを含む第４のヘッダデータが記録された第２のヘッダ領域、及びこの第２のヘッダ領域に続く領域であって前記第３又は第４のヘッダデータに基づきデータの記録又は再生を受ける第２のデータ記録領域を有する光ディスクから前記第１、第２、第３、及び第４のヘッダデータを含む各種データを再生する光ディスク装置において、前記光ディスクから前記第１、第２、第３、及び第４のヘッダデータを再生する第１の再生手段と、この第１の再生手段により再生された前記第１又は第２のヘッダデータに基づき前記第１のヘッダ領域を検知したことを示す第１のヘッダ信号を出力し、前記第３又は第４のヘッダデータに基づき前記第２のヘッダ領域を検知したことを示す第２のヘッダ信号を出力するヘッダ信号出力手段と、前記第１の再生手段により前記第１のヘッダデータに含まれる前記第１の識別データが再生されたときには、この第１の識別データに基づき、擬似的に前記第１のヘッダ領域を検知したことを示す第１の疑似ヘッダ信号を第１のタイミングで出力するとともに、擬似的に前記第２のヘッダ領域を検知したことを示す第２の疑似ヘッダ信号を第２のタイミングで出力し、前記第１の再生手段により前記第１のヘッダデータに含まれる前記第１の識別データが再生されずに、前記第２のヘッダデータに含まれる前記第２の識別データが再生されたときには、この第２の識別データに基づき、擬似的に前記第１のヘッダ領域を検知したことを示す第３の疑似ヘッダ信号を第３のタイミングで出力するとともに、擬似的に前記第２のヘッダ領域を検知したことを示す前記第２の疑似ヘッダ信号を前記第２のタイミングで出力する疑似ヘッダ信号出力手段と、前記ヘッダ信号出力手段により出力された前記第１のヘッダ信号、及び前記疑似ヘッダ信号出力手段により出力される前記第１並びに第３の疑似ヘッダ信号のうちのどちらか一方の疑似ヘッダ信号に基づき、前記第１のヘッダ領域及び前記第１のデータ記録領域を識別し、前記第１のデータ記録領域に記録されたデータを再生し、前記第２の疑似ヘッダ信号に基づき、前記第２のヘッダ領域及び前記第２のデータ記録領域を識別し、前記第２のデータ記録領域に記録されたデータを再生する第２の再生手段とを備えている。
【００２６】
この発明は、第１のヘッダデータであることを示す第１の識別データを含む第１のヘッダデータ、並びにこの第１のヘッダデータと実質的に同一なデータであって第２のヘッダデータであることを示す第２の識別データを含む第２のヘッダデータが記録された第１のヘッダ領域、この第１のヘッダ領域に続く領域であって前記第１又は第２のヘッダデータに基づきデータの記録又は再生を受ける第１のデータ記録領域、この第１のデータ記録領域に続く領域であって第３のヘッダデータであることを示す第３の識別データを含む第３のヘッダデータ、並びにこの第３のヘッダデータと実質的に同一なデータであって第４のヘッダデータであることを示す第４の識別データを含む第４のヘッダデータが記録された第２のヘッダ領域、及びこの第２のヘッダ領域に続く領域であって前記第３又は第４のヘッダデータに基づきデータの記録又は再生を受ける第２のデータ記録領域を有する光ディスクから前記第１、第２、第３、及び第４のヘッダデータを含む各種データを再生する光ディスク装置において、前記光ディスクから前記第１、第２、第３、及び第４のヘッダデータを再生する再生手段と、この再生手段により再生された前記第１又は第２のヘッダデータに基づき前記第１のヘッダ領域を検知したことを示す第１のヘッダ信号を出力し、前記第３又は第４のヘッダデータに基づき前記第２のヘッダ領域を検知したことを示す第２のヘッダ信号を出力するヘッダ信号出力手段と、前記再生手段により前記第１のヘッダデータに含まれる前記第１の識別データが再生されたときには、この第１の識別データに基づき、擬似的に前記第１のヘッダ領域を検知したことを示す第１の疑似ヘッダ信号を第１のタイミングで出力するとともに、擬似的に前記第２のヘッダ領域を検知したことを示す第２の疑似ヘッダ信号を第２のタイミングで出力し、前記再生手段により前記第１のヘッダデータに含まれる前記第１の識別データが再生されずに、前記第２のヘッダデータに含まれる前記第２の識別データが再生されたときには、この第２の識別データに基づき、擬似的に前記第１のヘッダ領域を検知したことを示す第３の疑似ヘッダ信号を第３のタイミングで出力するとともに、擬似的に前記第２のヘッダ領域を検知したことを示す前記第２の疑似ヘッダ信号を前記第２のタイミングで出力する疑似ヘッダ信号出力手段と、前記ヘッダ信号出力手段により出力された前記第１のヘッダ信号、及び前記疑似ヘッダ信号出力手段により出力される前記第１並びに第３の疑似ヘッダ信号のうちのどちらか一方の疑似ヘッダ信号に基づき、前記第１のヘッダ領域及び前記第１のデータ記録領域を識別し、前記第１のデータ記録領域に対してデータを記録し、前記第２の疑似ヘッダ信号に基づき、前記第２のヘッダ領域及び前記第２のデータ記録領域を識別し、前記第２のデータ記録領域に対してデータを記録する記録手段とを備えている。
【００２７】
【発明の実施の形態】
以下、この発明の実施の形態について図面を参照して説明する。
【００２８】
まず、図１〜図９を参照して、光ディスクとしてのＤＶＤ（Digital Video Disk）−ＲＡＭ（random access memory）の概要を説明する。図１は、光ディスクのゾーンという概念を説明するための図である。図２は、光ディスクのデータ構造の概略を説明するための図である。図３は、光ディスクの各ゾーンに対応する回転速度、及び各ゾーンの１トラックあたりのセクタ数を説明するための図である。図４は、光ディスクのセクタフォーマットを説明するための図である。図５及び図６は、グルーブセクタとグルーブセクタ、又はランドセクタとランドセクタの間に設けられたヘッダフィールドを説明するための図である。図７及び図８は、グルーブセクタとランドセクタとの間に設けられたヘッダフィールドを説明するための図である。図９は、光ディスクの構造を示す斜視図である。
【００２９】
図１及び図２に示すように、光ディスク１は、リードインエリア２、データエリア３、及びリードアウトエリア４に分割することができる。各エリアは、複数のゾーンで構成されており、各ゾーンは複数のトラックにより構成されている。
【００３０】
リードインエリア２は、エンボスデータゾーン５、及び書換え可能なデータゾーン６で構成されている。エンボスデータゾーン５には、製造時に、リファレンスシグナルやコントロールデータが記録される。書換え可能なデータゾーン６は、さらに、ガードトラック用のゾーン、ディスクテスト用のゾーン、ドライブテスト用のゾーン、ディスク識別データ用のゾーン、および交替管理エリアとしての交替管理ゾーンなどで構成されている。
【００３１】
データエリア３は、複数のゾーン、例えば、ゾーン３ａ、…３ｘにより構成されている。
【００３２】
リードアウトエリア４は、リードインエリア２に形成された書換え可能なデータゾーン６と同様の書換え可能なデータゾーンである。そして、このリードアウトエリア４には、データゾーン６と同じ記録内容のデータが記録される。
【００３３】
また、この光ディスク１は、内周側と外周側とで、１トラックあたりのセクタ数が異なるものである。つまり、外周側の１トラックに含まれるセクタ数が、内周側の１トラックに含まれるセクタ数より多い。そのため、図３に示すように、光ディスク１の回転数（回転速度）が、ゾーン毎に変化するようになっている。従って、リードインエリア２における各ゾーン、データエリア３における各ゾーン、及びリードアウトエリア４における各ゾーンにおいて、光ディスク１の内周側から外周側に向かうにしたがって回転速度が遅くなる。
【００３４】
このデータエリア３のゾーン３ａ、…３ｘのトラックには、図１及び図２に示すように、データの記録単位としてのＥＣＣ（error correction code）ブロッ クデータ単位（例えば３８６８８バイト）ごとに、データが記録される。
【００３５】
続いて、図４を参照して、セクタフォーマットについて説明する。
【００３６】
図４に示すように、１セクタは、およそ２６９７バイトで構成されている。このセクタには、８−１６変調により変調されたデータが記録される。８−１６変調は、８ビットの入力符号系列を、１６ビットの出力符号系列に変調する変調方式である。また、入力符号系列は入力ビットと呼ばれ、出力符号系列はチャネルビットと呼ばれる。因みに、１バイトは１６チャネルビットと同じ意味である。
【００３７】
ここで、１セクタの内訳について説明する。１セクタは、１２８バイトのヘッダフィールド（ヘッダ領域）、２バイトのミラーフィールド、２５６７バイトのレコーディングフィールド（データ記録領域）で構成される。
【００３８】
ヘッダフィールドには、光ディスクの製造工程において所定のデータが凹凸形状としてエンボス記録（プリフォーマット）される。このヘッダフィールドには、ヘッダの検出精度を向上させるためにセクタアドレスが４重書きされる。つまり、このヘッダフィールドは、ヘッダ１フィールド、ヘッダ２フィールド、ヘッダ３フィールド、及びヘッダ４フィールドにより構成されている。ヘッダ１フィールド及びヘッダ３フィールドは４６バイトで構成されている。ヘッダ２フィールド及びヘッダ４フィールドは１８バイトで構成されている。
【００３９】
ヘッダ１フィールド及びヘッダ３フィールドは、３６バイトの同期コードＶＦＯ（Variable Frequency Oscillator）１フィールド、３バイトのアドレスマー クＡＭ（Address Mark）フィールド、４バイトのアドレスＰＩＤ（Physical ID ）１フィールド、２バイトの誤り検出コードＩＥＤ（ID Error Detection Code)１フィールド、１バイトのポストアンブルＰＡ（Post Ambles）１フィールドに より構成されている。
【００４０】
ヘッダ２フィールド及びヘッダ４フィールドは、８バイトの同期コードＶＦＯ２フィールド、３バイトのアドレスマークＡＭフィールド、４バイトのアドレスＰＩＤ２フィールド、２バイトの誤り検出コードＩＥＤ２フィールド、１バイトのポストアンブルＰＡ２フィールドにより構成されている。
【００４１】
ＰＩＤフィールド（ＰＩＤ１フィールド、 ＰＩＤ２フィールド、 ＰＩＤ３フィールド、 ＰＩＤ４フィールド）には、セクタインフォメーション及びセクタ ーナンバーが記録されている。このＰＩＤフィールドについては後に詳しく説明する。
【００４２】
ＶＦＯフィールド（ＶＦＯ１フィールド、ＶＦＯ２フィールド）には、ＰＬＬ（Phase Locked Loop）の引き込みを行うための連続的な繰返しパターン（１０ ００１０００１０００…）が記録される。具体的に述べると、このＶＦＯフィールドに記録されるパターンは、ＰＩＤフィールドに記録された情報を再生するための周波数同期を取るためのものである。
【００４３】
ＡＭフィールドにはアドレスマーク（ＡＭ）が記録され、このアドレスマークが固定長ブロック符号の復調の際にブロックの境界を検出する役割を担う。具体的に述べると、このＡＭフィールドに記録されるアドレスマークは、ＰＩＤフィールドに記録されたアドレス情報の位置を示すものである。このＡＭフィールドに記録されるアドレスマークには、他には現れない特殊なパターン（ランレングス制限違反のパターン）が用いられる。
【００４４】
ＩＥＤフィールド（ＩＥＤ１フィールド、ＩＥＤ２フィールド、ＩＥＤ３フィールド、ＩＥＤ４フィールド）には、ＰＩＤフィールドに対するエラー検出符号が記録され、このエラー検出符号により読み込まれたＰＩＤフィールドのエラーの有無が検出される。
【００４５】
ＰＡフィールドには、復調に必要なステート情報が記録されており、ヘッダフィールドがスペースで終了するよう極性調整の役割も持つ。
【００４６】
ミラーフィールドは、鏡面のフィールドであり、このフィールドは後述する光検出器のゲイン調整などに利用される。
【００４７】
レコーディングフィールドは、主に、ユーザデータの記録を担うフィールドである。レコーディングフィールドは、（１０＋Ｊ／１６）バイトのギャップフィールド、（２０＋Ｋ）バイトのガード１フィールド、３５バイトのＶＦＯ３フィールド、３バイトのＰＳ（pre-synchronous code）フィールド、２４１８バイトのデータフィールド（ユーザデータフィールド）、１バイトのポストアンブルＰＡ３フィールド、（５５−Ｋ）バイトのガード２フィールド、および（２５−Ｊ／１６）バイトのバッファフィールドにより構成されている。因みに、Ｊは０〜１５、Ｋは０〜７の整数でランダムな値をとる。これにより、データ書始めの位置がランダムにシフトされる。その結果、オーバーライトによる記録膜の劣化を低減できる。
【００４８】
ギャップフィールドは、何も記録されてないフィールドである。
【００４９】
ガード１フィールドは、相変化記録膜特有の繰返しオーバーライトの始端劣化を吸収するための捨てデータ領域である。
【００５０】
ＶＦＯ３フィールドもＰＬＬロック用のフィールドではあるが、同一パターンの中に同期コードを挿入し、バイト境界の同期をとることも目的とするフィールドである。
【００５１】
ＰＳフィールドは、同期コードが記録されるフィールドであり、ブロック境界を検出するために設けられている。
【００５２】
データフィールドは、データＩＤ、データＩＤエラー訂正コードＩＥＤ（Data ID Error Detection Code）、同期コード、ＥＣＣ（Error Collection Code ）、ＥＤＣ（Error Detection Code）、２０４８バイトのユーザデータ等から構成されるフィールドである。データＩＤは、各セクタの４バイト（３２チャネルビット）構成のセクタＩＤ１〜ＩＤ１６である。データＩＤエラー訂正コードＩＥＤは、データＩＤ用の２バイト（１６ビット）構成のエラー訂正コードである。
【００５３】
ポストアンブルＰＡ３フィールドは、復調に必要なステート情報を含んでおり、前のデータフィールドの最終バイトの終結を示すフィールドである。
【００５４】
ガード２フィールドは、相変化記録媒体特有の繰り返し記録時の終端劣化がデータフィールドにまで及ばないようにするために設けられたフィールドである。
【００５５】
バッファフィールドは、データフィールドが次のヘッダフィールドにかからないように、光ディスク１を回転するモータの回転変動などを吸収するために設けられたフィールドである。
【００５６】
続いて、ＰＩＤフィールド（ＰＩＤ１フィールド、ＰＩＤ２フィールド、ＰＩＤ３フィールド、ＰＩＤ４フィールド）について具体的に説明する。ＰＩＤフィールドは、１バイト（８ビット）のセクタインフォメーションフィールドと、３バイト（２４ビット）のセクタナンバーフィールドから構成されている。セクタナンバーフィールドには、セクタのアドレスデータが記録される。
【００５７】
さらに、このセクタインフォメーションは、２ビットのリザーブフィールド、２ビットのＰＩＤナンバーフィールド、３ビットのセクタタイプフィールド、１ビットのレイヤーナンバーフィールドにより構成されている。
【００５８】
リザーブフィールドには、特に何も記録されない。
【００５９】
ＰＩＤナンバーフィールドには、ＰＩＤナンバーが記録される。例えば、ヘッダ１フィールド中におけるＰＩＤナンバーフィールドにはＰＩＤ１を示す“００”、ヘッダ２フィールド中におけるＰＩＤナンバーフィールドにはＰＩＤ２を示す“０１”、ヘッダ３フィールド中におけるＰＩＤナンバーフィールドにはＰＩＤ３を示す“１０”、ヘッダ４フィールド中におけるＰＩＤナンバーフィールドにはＰＩＤ４を示す“１１”が記録される。
【００６０】
この発明では、ヘッダ１フィールド〜ヘッダ４フィールド中のセクタナンバーフィールドに記録されたセクタナンバーの関係から、ランドトラックとグルーブトラックとが識別される。
【００６１】
セクタタイプフィールドには、読み出し専用セクタ（Read only sector）であることを示す“０００”、リザーブセクタ（Reserved）であることを示す“００１”、“０１０”、又は“０１１”、ランド又はグルーブトラックの書き換え可能な先頭セクタ（Rewritable first sector）であることを示す“１００”、ラ ンド又はグルーブトラックの書き換え可能な最終セクタ（Rewritable last sector）であることを示す“１０１”、ランド又はグルーブトラックの書き換え可能な最終セクタの一つ手前のセクタ（Rewritable before last sector）であるこ とを示す“１１０”、ランド又はグルーブトラックの書き換え可能なその他のセクタ（Rewritable other sector）であることを示す“１１１”が記録される。
【００６２】
レイヤーナンバーフィールドには、レイヤー１又は０を示す“１”又は“０”が記録される。
【００６３】
続いて、図５〜図８を参照して、グルーブセクタとグルーブセクタ、ランドセクタとランドセクタ、又はグルーブセクタとランドセクタとの間に設けられたヘッダフィールドを説明する。図５〜図８は、光ディスクの情報記録領域の一部を示す図である。
【００６４】
また、図５及び図６には、光ディスクの外周側から内周側に向けて、ランドセクタＬ０１、グルーブセクタＧ１１、ランドセクタＬ２１、グルーブセクタＧ３１、ランドセクタＬ４１、及びグルーブセクタＧ５１が設けられている様子が示されている。さらに、互いに隣接するトラックの中心から中心までの距離をトラックピッチと称する。例えば、ランドセクタＬ２２が設けられているトラックの中心から、グルーブセクタＧ３２が設けられているトラックの中心までの距離がトラックピッチとなる。なお、図６中のＮは、１トラック（１周）あたりのセクタ数を示し、このＮの値は１７〜４０の間の整数となる。
【００６５】
また、図７及び図８には、光ディスクの外周側から内周側に向けて、グルーブセクタＧ１ｎ、ランドセクタＬ２ｎ、グルーブセクタＧ３ｎ、ランドセクタＬ４ｎ、及びグルーブセクタＧ５ｎが設けられている様子が示されている。さらに、互いに隣接するトラックの中心から中心までの距離をトラックピッチと称する。例えば、ランドセクタＬ４０が設けられているトラックの中心から、グルーブセクタＧ５０が設けられているトラックの中心までの距離がトラックピッチとなる。なお、図８中のＮは、１トラック（１周）あたりのセクタ数を示し、このＮの値は１７〜４０の間の整数となる。
【００６６】
先ず、図５及び図６を参照して、グルーブセクタとグルーブセクタ、又はランドセクタとランドセクタの間に設けられたヘッダフィールドについて説明する。
【００６７】
ヘッダフィールド１１には、図５に示すように、複数のピットＰが設けられている。ヘッダ１フィールドＨ１２−１及び２フィールドＨ１２−２を構成するピットの中心は、ランドセクタＬ０２とグルーブセクタＧ１２（又はランドセクタＬ０１とグルーブセクタＧ１１）の接線の同一線上の位置に存在する。ヘッダ３フィールドＨ２２−３及びヘッダ４フィールドＨ２２−４を構成するピットの中心は、グルーブセクタＧ１２とランドセクタＬ２２（又はグルーブセクタＧ１１とランドセクタＬ２１）の接線の延長線上に存在する。ヘッダ１フィールドＨ３２−１及びヘッダ２フィールドＨ３２−２を構成するピットの中心は、ランドセクタＬ２２とグルーブセクタＧ３２（又はランドセクタＬ２１とグルーブセクタＧ３１）の接線の延長線上に存在する。ヘッダ３フィールドＨ４２−３及びヘッダ４フィールドＨ４２−４を構成するピットの中心は、グルーブセクタＧ３２とランドセクタＬ４２（又はグルーブセクタＧ３１とランドセクタＬ４１）の接線の延長線上に存在する。ヘッダ１フィールドＨ５２−１及びヘッダ２フィールドＨ５２−２を構成するピットの中心は、ランドセクタＬ４２とグルーブセクタＧ５２（又はランドセクタＬ４１とグルーブセクタＧ５１）の接線の延長線上に存在する。ヘッダ３フィールドＨ６２−３及びヘッダ４フィールドＨ６２−４を構成するピットの中心は、グルーブセクタＧ５２とランドセクタＬ６２（又はグルーブセクタＧ５１とランドセクタＬ６１）の接線の延長線上に存在する。
【００６８】
また、グルーブセクタとグルーブセクタの間に設けられたヘッダフィールド１１の各ヘッダのセクタナンバーは、図６に示すような関係となる。例えば、グルーブセクタＧ１１とグルーブセクタＧ１２の間に設けられたヘッダフィールドのセクタナンバーを例に取り説明する。グルーブセクタＧ１１とグルーブセクタＧ１２の間には、ヘッダ１フィールドＨ１２−１、ヘッダ２フィールドＨ１２−２、ヘッダ３フィールドＨ２２−３、及びヘッダ４フィールドＨ２２−４が設けられている。また、ヘッダ１フィールドＨ１２−１のセクタナンバーは（ｎ＋３Ｎ）、ヘッダ２フィールドＨ１２−２のセクタナンバーは（ｎ＋３Ｎ）、ヘッダ３フィールドＨ２２−３のセクタナンバーは（ｎ＋２Ｎ）、ヘッダ４フィールドＨ２２−４のセクタナンバーは（ｎ＋２Ｎ）である。つまり、グルーブセクタとグルーブセクタの間に設けられた各ヘッダのセクタナンバーを比較すると、（ヘッダ１フィールド又はヘッダ２フィールドのセクタナンバー）＞（ヘッダ３フィールド又はヘッダ４フィールドのセクタナンバー）の関係が成立する。
【００６９】
一方、ランドセクタとランドセクタの間に設けられたヘッダフィールド１１の各ヘッダのセクタナンバーは、図６に示すような関係となる。例えば、ランドセクタＬ２１とランドセクタＬ２２の間に設けられた各ヘッダのセクタナンバーを例に取り説明する。ランドセクタＬ２１とランドセクタＬ２２の間には、ヘッダ１フィールドＨ３２−１、ヘッダ２フィールドＨ３２−２、ヘッダ３フィールドＨ２２−３、及びヘッダ４フィールドＨ２２−４が設けられている。また、ヘッダ１フィールドＨ３２−１のセクタナンバーは（ｎ＋Ｎ）、ヘッダ２フィールドＨ３２−２のセクタナンバーは（ｎ＋Ｎ）、ヘッダ３フィールドＨ２２−３のセクタナンバーは（ｎ＋２Ｎ）、ヘッダ４フィールドＨ２２−４のセクタナンバーは（ｎ＋２Ｎ）である。つまり、ランドセクタとランドセクタの間に設けられた各ヘッダのセクタナンバーを比較すると、（ヘッダ１フィールド又はヘッダ２フィールドのセクタナンバー）＜（ヘッダ３フィールド又はヘッダ４フィールドのセクタナンバー）の関係が成立する。
【００７０】
つまり、ヘッダ再生により、（ヘッダ１フィールド又はヘッダ２フィールドのセクタナンバー）＞（ヘッダ３フィールド又はヘッダ４フィールドのセクタナンバー）の関係が判明すれば、このヘッダの後のセクタ（トラック）がグルーブセクタ（グルーブトラック）であるものとして識別され、グルーブセクタに応じた再生処理を行うことができる。逆に、ヘッダ再生により、（ヘッダ１フィールド又はヘッダ２フィールドのセクタナンバー）＜（ヘッダ３フィールド又はヘッダ４フィールドのセクタナンバー）の関係が判明すれば、このヘッダの後のセクタ（トラック）がランドセクタ（ランドトラック）であるものとして識別され、ランドセクタに応じた再生処理を行うことができる。
【００７１】
続いて、図７及び図８を参照して、グルーブセクタとランドセクタの間、つまりグルーブとランドの変わり目に設けられたヘッダフィールドについて説明する。
【００７２】
ヘッダフィールド１１はに、図７に示すように、複数のピットＰが設けられている。ヘッダ３フィールドＨ２０−３及びヘッダ４フィールドＨ２０−４を構成するピットの中心は、グルーブセクタＧ１０とランドセクタＬ２０の接線の延長線上に存在する。ヘッダ１フィールドＨ３０−１及びヘッダ２フィールドＨ３０−２を構成するピットの中心は、ランドセクタＬ２０とグルーブセクタＧ３０（又はグルーブセクタＧ１ｎとランドセクタＬ２ｎ）の接線の延長線上に存在する。ヘッダ３フィールドＨ４０−３及びヘッダ４フィールドＨ４０−４を構成するピットの中心は、グルーブセクタＧ３０とランドセクタＬ４０（又はランドセクタＬ２ｎとグルーブセクタＧ３ｎ）の接線の延長線上に存在する。ヘッダ１フィールドＨ５０−１及びヘッダ２フィールドＨ５０−２を構成するピットの中心は、ランドセクタＬ４０とグルーブセクタＧ５０（又はグルーブセクタＧ３ｎとランドセクタＬ４ｎ）の接線の延長線上に存在する。ヘッダ３フィールドＨ６０−３及びヘッダ４フィールドＨ６０−４を構成するピットの中心は、グルーブセクタＧ５０とランドセクタＬ６０（又はランドセクタＬ４ｎとグルーブセクタＧ５ｎ）の接線の延長線上に存在する。ヘッダ１フィールドＨ７０−１及びヘッダ２フィールドＨ７０−２を構成するピットの中心は、ランドセクタＬ６０とグルーブセクタＧ７０の接線の延長線上に存在する。
【００７３】
また、ランドセクタとグルーブセクタの間（ランドセクタからグルーブセクタへ変化するとき）に設けられたヘッダフィールド１１の各ヘッダのセクタナンバーは、図８に示すような関係となる。例えば、ランドセクタＬ２ｎとグルーブセクタＧ３０の間に設けられた各ヘッダのセクタナンバーを例に取り説明する。ランドセクタＬ２ｎとグルーブセクタＧ３０の間には、ヘッダ１フィールドＨ３０−１、ヘッダ２フィールドＨ３０−２、ヘッダ３フィールドＨ４０−３、及びヘッダ４フィールドＨ４０−４が設けられている。また、ヘッダ１フィールドＨ３０−１のセクタナンバーは（ｍ＋３Ｎ）、ヘッダ２フィールドＨ３０−２のセクタナンバーは（ｍ＋３Ｎ）、ヘッダ３フィールドＨ４０−３のセクタナンバーは（ｍ＋２Ｎ）、ヘッダ４フィールドＨ４０−４のセクタナンバーは（ｍ＋２Ｎ）である。つまり、ランドセクタとグルーブセクタの間に設けられた各ヘッダのセクタナンバーを比較すると、（ヘッダ１フィールド又はヘッダ２フィールドのセクタナンバー）＞（ヘッダ３フィールド又はヘッダ４フィールドのセクタナンバー）の関係が成立する。
【００７４】
一方、グルーブセクタとランドセクタの間（グルーブセクタからランドセクタへ変化するとき）に設けられたヘッダフィールド１１の各ヘッダのセクタナンバーは、図８に示すような関係となる。例えば、グルーブセクタＧ３ｎとランドセクタＬ４０の間に設けられた各ヘッダのセクタナンバーを例に取り説明する。グルーブセクタＧ３ｎとランドセクタＬ４０の間には、ヘッダ１フィールドＨ５０−１、ヘッダ２フィールドＨ５０−２、ヘッダ３フィールドＨ４０−３、及びヘッダ４フィールドＨ４０−４が設けられている。また、ヘッダ１フィールドＨ５０−１のセクタナンバーは（ｍ＋Ｎ）、ヘッダ２フィールドＨ５０−２のセクタナンバーは（ｍ＋Ｎ）、ヘッダ３フィールドＨ４０−３のセクタナンバーは（ｍ＋２Ｎ）、ヘッダ４フィールドＨ４０−４のセクタナンバーは（ｍ＋２Ｎ）である。つまり、グルーブセクタとランドセクタの間に設けられた各ヘッダのセクタナンバーを比較すると、（ヘッダ１フィールド又はヘッダ２フィールドのセクタナンバー）＜（ヘッダ３フィールド又はヘッダ４フィールドのセクタナンバー）の関係が成立する。
【００７５】
つまり、ヘッダ再生により、（ヘッダ１フィールド又はヘッダ２フィールドのセクタナンバー）＞（ヘッダ３フィールド又はヘッダ４フィールドのセクタナンバー）の関係が判明すれば、このヘッダの後のセクタ（トラック）がグルーブセクタ（グルーブトラック）であるものとして識別され、グルーブセクタに応じた再生処理を行うことができる。逆に、ヘッダ再生により、（ヘッダ１フィールド又はヘッダ２フィールドのセクタナンバー）＜（ヘッダ３フィールド又はヘッダ４フィールドのセクタナンバー）の関係が判明すれば、このヘッダの後のセクタ（トラック）がランドセクタ（ランドトラック）であるものとして識別され、ランドセクタに応じた再生処理を行うことができる。
【００７６】
以上、図５〜図８で説明したように、ヘッダ再生により得られるヘッダ１フィールド（又はヘッダ２フィールド）とヘッダ３フィールド（又はヘッダ４フィールド）との大小関係から、その後のセクタ（トラック）がランドセクタ（ランドトラック）なのか、グルーブセクタ（グルーブトラック）なのかを識別することができる。
【００７７】
さらに、グルーブセクタ（グルーブトラック）及びランドセクタ（ランドトラック）に対するヘッダフィールドの位置関係について説明する。
【００７８】
グルーブトラックとランドトラックとが１周毎に切り替わる方式を、シングルスパイラル方式と呼ぶ。このようなシングルスパイラル方式が採用された光ディスクにおいて、上記したように、ヘッダフィールドをランドトラックとグルーブトラックの中間に記録することにより、１ビームによるカッティングが実現可能となる。また、グルーブトラックとランドトラックとの切り替わりに位置するセクタをファーストセクタと呼ぶ。上記説明した図７及び図８は、ファーストセクタのヘッダフィールドを示したものである。図５〜図８において、スパイラル状にトラックをたどっていくとトラッキングの極性がランド、グルーブ、ランド、グルーブ、…と切り替わる。
【００７９】
このようにグルーブとランドとが１周毎に切り替わるシングルスパイラル方式では、トラッキングの際にグルーブトラック及びランドトラックで極性を切り替える必要がある。そのため、グルーブトラックからランドトラック、あるいはランドトラックからグルーブトラックの切り替わり目のセクタは他のセクタと異なるヘッダ配置となる。
【００８０】
ここで、光ディスクの製造方法について簡単に説明する。まず、ガラス円盤が制作される。このガラス円盤にフォトレジスト（感光性樹脂）が塗布されフォトレジスト盤が制作される。このフォトレジスト盤が回転され、この回転されているフォトレジスト盤に対してレーザ光が照射され、フォトレジスト盤にトラック及びヘッダが露光記録される。トラック及びヘッダが露光記録されたフォトレジスト盤を現像すると、露光された部分のフォトレジストが現像液に溶けて、フォトレジスト盤にトラック及びヘッダが形成される。
【００８１】
このようにして、フォトレジスト盤に対して、トラック及びヘッダを形成する処理をカッティング処理と呼び、このカッティング処理はカッティング装置により実現される。つまり、このカッティング装置には、フォトレジスト盤に対してレーザ光を照射するための光学ヘッドなどが設けられている。さらに、トラック及びヘッダが形成されたフォトレジスト盤に対して、金属が蒸着され、原盤が制作される。この原盤にＮｉメッキがなされ、この原盤からＮｉメッキ層が剥離される。この剥離されたＮｉメッキ層が、スタンパと呼ばれる光ディスクの型となる。そして、このスタンパを型にして、光ディスクが製造される。
【００８２】
上記説明したカッティング処理において、カッティング装置の光学ヘッドは、円盤１回転につき、トラックピッチ分だけ内周から外周の方向へ等速移動が行われる。そして、レーザ光が照射された部分がグルーブ、照射されない部分がランドになる。
【００８３】
図８には、セクタ番号ｍ、（ｍ＋Ｎ）、（ｍ＋２Ｎ）という３トラック分のファーストセクタが示されている。カッティング処理の際には、ランドセクタＬ４ｎの次に、このランドセクタＬ４ｎのトラックの中心から半トラックピッチ分だけ外側にシフトして、ヘッダ１フィールドＨ５０−１及びヘッダ２フィールドＨ５０−２が記録される。さらに、ランドセクタＬ４ｎのトラックの中心から半トラックピッチ分だけ内側にシフトして、ヘッダ１フィールドＨ５０−３及びヘッダ２フィールドＨ５０−４が記録される。
【００８４】
また、ミラー部は、レーザ光が照射されないことにより生成される。グルーブ部は、レーザ光が照射されることにより生成される。この際、レーザ光のスポットが内周から外周の方向へ、１８６チャネルビット周期で正弦波振動されることにより、グルーブが波状に形成される。この信号成分はデータライト時のクロック生成の基準信号として利用が可能である。セクタ番号ｍからセクタ番号（ｍ＋Ｎ−１）までの１周は、上記したような手順で記録が行われる。セクタ番号（ｍ＋Ｎ）からセクタ番号（ｍ＋２Ｎ−１）までの１周は、レーザ光は照射されない。この動作を繰り返して図８に示すようなヘッダフィールドが形成される。
【００８５】
図５及び図６には、ファーストセクタ以外のヘッダ構造が示されている。上記説明したようなカッティング処理により、グルーブセクタの前半ヘッダであるヘッダ１フィールド及びヘッダ２フィールド、並びに後半ヘッダであるヘッダ３フィールド及びヘッダ４フィールドが記録される。なお、ランドセクタの前半ヘッダと後半ヘッダは１周違いで記録される。
【００８６】
続いて、図９を参照して、光ディスクの構造について説明する。
【００８７】
光ディスクの基板２００は、プラスチックなどの透明な材質から成り、スタンパと呼ばれる型により複製される。基板２００には、ヘッダフィールド及びレコーディングフィールドが記録される。ヘッダフィールドには、エンボスピットＰによりヘッダ情報が記録される。レコーディングフィールドには、グルーブトラックＧＴ及びランドトラックＬＴが形成される。
【００８８】
また、再生レーザ光の入射側からみて、エンボスピットＰは凸形状、グルーブトラックＧＴは凸形状、ランドトラックＬＴは凹形状となっている。基板１００の凹凸記録面には、基板２００側から順に、保護膜２０１、記録膜２０２、保護膜２０３、反射膜２０４が成膜される。図中の一点鎖線は、グルーブトラックＧＴあるいはランドトラックＬＴの中心を示す。ヘッダフィールドを構成するエンボスピットＰは、グルーブトラックＧＴ及びランドトラックＬＴの中心線から、Ｗｔ／２だけシフトした線上に位置する。ここで、Ｗｔはトラックピッチを示し、グルーブトラックＧＴの中心とランドトラックＬＴの中心との間の距離である。
【００８９】
エンボスピットＰは、グルーブトラックＧＴのカッティング時に、レーザスポットをＷｔ／２だけウォブルさせることにより、千鳥状に生成される。
【００９０】
図６及び図８に示すように、千鳥状のエンボスピットＰがヘッダフィールドに設けられることにより、グルーブトラックＧＴの幅と、エンボスピットＰの直径とを異ならせる必要がなくなる。つまり、グルーブトラックＧＴとエンボスピットＰとを同一のビームでカッティングすることが可能となる。そのため、カッティング装置の大幅な簡略化が実現できる。
【００９１】
次に、図１０〜図１２を参照して、カッティング装置について説明する。図１０は、カッティング装置の概略構成を示す図である。図１１は、カッティング装置のフォーマット回路が発生するカッティング変調信号及びウォブル制御信号を説明するための図である。図１２は、シングルスパイラルを形成するためのカッティング変調信号を説明するための図である。
【００９２】
まず、図１０を参照して、カッティング装置の概略構成について説明する。レーザ光源１４１から出射されたレーザ光（ＡｒレーザもしくはＫｒレーザ）は、光軸を調整するレーザ光軸制御系１４２に入射される。レーザ光軸制御系１４２では、レーザ光の光軸が調整される。このレーザ光軸制御系１４２を介したレーザ光は、ミラー１４３で反射され、フォーマット回路１４９に制御されたビーム変調系１４４に入射される。
【００９３】
ビーム変調系１４４は、音響光学変調器（ＡＯＭ）１４４ａ及び音響光学変調器（ＡＯＭ）により構成される。音響光学変調器１４４ａは、フォーマット回路１４９から供給されるカッティング変調信号に従い、レーザ光を変調する。音響光学偏向器１４４ｂは、フォーマット回路１４９から供給される指示に従い、レーザ光を偏向する。フォーマット回路１４９は、ＲＯＭ１５０を含み、レーザ出力及び露光部位を決めるカッティング信号と、ウォブル量やウォブル方向を示すウォブル制御信号とを発生する。なお、ＲＯＭ１５０に関しては、後に詳しく説明する。
【００９４】
ビーム変調系１４４に入射されたレーザ光は、音響光学変調器１４４ａにより変調され、音響光学偏向器１４４ｂにより偏向される。このビーム変調系１４４を介したレーザ光は、ピンホールやスリットから成るビーム整形系１４５に入射される。ビーム整形系１４５では、レーザ光のビーム径及び形状が調整される。ビーム整形系１４５を介したレーザ光は、ビームモニタ系１４６に入射される。ビームモニタ系１４６は、レーザ光のビーム形状がモニタされる。
【００９５】
ビームモニタ系１４６を介したレーザ光は、ミラ−１４７に案内されて、対物レンズ１４８によりフォトレジスト盤１４Ｏに集束、照射される。フォトレジスト盤１４０とは、ガラス円盤にフォトレジストが塗布されたものである。フォトレジスト盤のレーザ光が照射された部分は、エッチングにより凹型の形状となる。
【００９６】
また、カッティング時には、スピンドルモータ１３９によりフォトレジスト盤１４０が一定速度で回転される。さらに、フォトレジスト盤１４０はスピンドルモータ１３９と一体のまま、送りねじ１５１により所定方向に移動される。この移動により、対物レンズ１４８を介して照射されるレーザ光が、フォトレジスト盤１４０の内周側から外周側へ移動される。因みに、送りねじ１５１は、送り制御装置１５２の制御によりスピンドルモータ１３９と一体となったフォトレジスト盤１４０を移動させる。この送り制御装置１５２の制御により、レーザ光は、フォトレジスト盤１４０の１回転につきトラックピッチ分だけ内周側から外周側へ移動される。また、このように移動されるレーザ光が照射された部分がグループトラック、照射されない部分がランドトラックとなる。さらに、レーザ光が点滅されることにより、ヘッダフィールドを構成するエンボスピットが形成される。
【００９７】
ここで、フォーマット回路１４９に設けられたＲＯＭ１５０について説明する。ＲＯＭ１５０には、８−１６変調を実現するための、変換テーブルが記憶される。この変換テーブルは、８ビットの入力符号系列（以下、ソースデータと称する）を、１６ビットの出力符号系列（以下、変換コードと称する）に変調する。この変換テーブルにより変換される変換コードに基づき、カッティング変調信号が生成されるという訳である。
【００９８】
続いて、図１１を参照して、フォーマット回路１４９が発生するカッティング変調信号及びウォブル制御信号について説明する。
【００９９】
カッティング変調信号は、カッティング装置のレーザ光源１４１の変調信号として用いられる信号である。図１１では、カッティング変調信号のレベルがレーザ光の出力に比例しているもする。
【０１００】
ウォブル制御信号は、ビームの位置をシフトさせるため音響光学偏向器１４４ｂにおける偏向角を制御する信号である。ウォブル制御信号がゼロレベルより大きければビームの照射位置は、トラックの中心位置に対して上側に移動する。ウォブル制御信号がゼロレベルより小さければビームの照射位置は、トラックの中心位置に対して下側に移動する。
【０１０１】
図１１に示すように、ウォブル制御信号がゼロレベルより大きい値の部分、つまり、ヘッダ１及びヘッダ２の部分は、トラックの中心位置より上側にシフトしている。一方、ウォブル制御信号がゼロレベルより小さい値の部分、つまり、ヘッダ３及びヘッダ４の部分は、トラックの中心位置より下側にシフトしている。ウォブル制御信号がゼロレベルの部分、つまり、グルーブ部分は、トラックの中心位置にグルーブが形成される。
【０１０２】
また、カッティング変調信号がハイレベルのときは、原盤上に凹形状が形成される。従って、カッティング変調信号がハイレベルのとき、エンボスピットが形成される。
【０１０３】
続いて、図１２を参照して、シングルスパイラルを形成するためのカッティング変調信号について説明する。
【０１０４】
カッティング変調信号ａ〜ｄは、全て、トラック１周分に相当する信号である。
【０１０５】
ロウ（ＬＯＷ）レベルのカッティング変調信号ａに対応して、トラックａを構成するランドトラックＬＴが形成される。ハイ（ＨＩＧＨ）レベルのカッティング変調信号ａに対応して、トラックａを構成するグルーブトラックＧＴが形成される。
【０１０６】
ロウ（ＬＯＷ）レベルのカッティング変調信号ｂに対応して、トラックｂを構成するランドトラックＬＴが形成される。ハイ（ＨＩＧＨ）レベルのカッティング変調信号ｂに対応して、トラックｂを構成するグルーブトラックＧＴが形成される。
【０１０７】
ロウ（ＬＯＷ）レベルのカッティング変調信号ｃに対応して、トラックｃを構成するランドトラックＬＴが形成される。ハイ（ＨＩＧＨ）レベルのカッティング変調信号ｃに対応して、トラックｃを構成するグルーブトラックＧＴが形成される。
【０１０８】
ロウ（ＬＯＷ）レベルのカッティング変調信号ｄに対応して、トラックｄを構成するランドトラックＬＴが形成される。ハイ（ＨＩＧＨ）レベルのカッティング変調信号ｄに対応して、トラックｄを構成するグルーブトラックＧＴが形成される。
【０１０９】
フォトレジスト盤が１回転されるごとにカッティング変調信号を、カッティング変調信号ａ、カッティング変調信号ｂ、カッティング変調信号ｃ、カッティング変調信号ｄと切り替えることにより、シングルスパイラル構造が実現される。
【０１１０】
次に、図１３〜図１４を参照して、この発明の実施の一形態に係る光ディスク装置について説明する。図１３は、光ディスク装置の概略構成を示す図である。図１４は、光ディスク装置のデータ再生回路の概略構成を示す図である。
【０１１１】
まず、図１３を参照して、光ディスク装置の概略構成について説明する。
【０１１２】
光ディスク装置は、光ディスク１に対して集束性の光ビームを照射して、この光ディスク１からの光ビームの反射光を受光し、この受光された反射光に反映された光ディスク１に記録されたデータの再生を行うものである。また、この光ディスク装置は、光ディスク１に対して光ビームを照射して、この光ビーム１に対してデータを記録するものである。
【０１１３】
図１３に示すように、光ディスク１は、カートリッジ２１によって保持されながらスピンドルモータ２３に装填される。そして、この光ディスク１は、スピンドルモータ２３によって、例えば、ゾーンごとに異なった回転数で回転される。このスピンドルモータ２３は、モータ制御回路２４によって制御されている。
【０１１４】
光ディスク１に記録されているデータの再生は、光学ヘッド２５によって行われる。スピンドルモータ２３及び光学ヘッド２５は、後述するように、固定ベースに備えられている。
【０１１５】
この光学ヘッド２５は、リニアモータ２６の可動部を構成する駆動コイル２７に固定され、この駆動コイル２７は、リニアモータ制御回路２８に接続されている。
【０１１６】
一方、リニアモータ２６を駆動するリニアモータ制御回路２８には、速度検出器２９が接続されており、速度検出器２９で検出された光学ヘッド２５の速度信号は、リニアモータ制御回路２８に送られ、光学ヘッド２５の移動速度が制御される。
【０１１７】
また、光学ヘッド２５のキャリッジ７０には、対物レンズ３０が設けられ、図示しないワイヤあるいは板ばねによって支持されている。この対物レンズ３０は、駆動コイル３１によってフォーカシング方向（レンズの光軸方向）に移動されるとともに、駆動コイル３２によってトラッキング方向（レンズの光軸と直交する方向）に移動される。
【０１１８】
また、光ビームを照射する照射手段としての半導体レーザ３９は、レーザ駆動回路３５によって駆動され、レーザビームを発生する。レーザ駆動回路３５は、半導体レーザ３９のモニタ用のフォトダイオードＰＤからのモニタ電流に応じて半導体レーザ３９が発生するレーザビームの光量を補正する。
【０１１９】
レーザ駆動回路３５は、図示しないＰＬＬ回路からのデータ記録用またはデータ再生用のクロック信号に同期して動作する。このＰＬＬ回路は、図示しない発振器からの基本クロック信号を分周して、データ記録用またはデータ再生用のクロック信号を発生するものである。このレーザ駆動回路３５では、半導体レーザ３９からデータ記録用のレーザビームを発生させる場合には、データ再生用のレーザビームより所定レベル高い高出力のレーザビームを発生させるように制御する。
【０１２０】
レーザ駆動回路３５によって駆動される半導体レーザ３９により発生されたレーザビームは、コリメータレンズ４０によってコリメートされた後、ハーフプリズム４１によって光路が略直角に折り曲げられる。すなわち、ハーフプリズム４１により半導体レーザ３９から発生されたレーザビームがコリメートされた状態で光ディスク１に向けて照射される。このレーザビームは、対物レンズ３０により、光ディスク１のデータ記録面に集束される。
【０１２１】
そして、この光ディスク１のデータ記録面からの反射光ビームは、対物レンズ３０、及びハーフプリズム４１を透過して、集光レンズ４２、及びシリンドリカルレンズ４３を介して検出手段としての光検出器４４に導かれる。
【０１２２】
この光検出器４４は、例えば４分割の光検出セル４４ａ、４４ｂ、４４ｃ、４４ｄによって構成されている。
【０１２３】
この光検出器４４に含まれる光検出セル４４ａの出力信号は、増幅器４５ａを介して加算器４６ａの一端に供給され、光検出セル４４ｂの出力信号は、増幅器４５ｂを介して加算器４６ｂの一端に供給される。また、光検出セル４４ｃの出力信号は、増幅器４５ｃを介して加算器４６ａの他端に供給され、光検出セル４４ｄの出力信号は、増幅器４５ｄを介して加算器４６ｂの他端に供給される。
【０１２４】
また、この光検出器４４に含まれる光検出セル４４ａの出力信号は、増幅器４５ａを介して加算器４６ｃの一端に供給され、光検出セル４４ｂの出力信号は、増幅器４５ｂを介して加算器４６ｄの一端に供給される。また、光検出セル４４ｃの出力信号は、増幅器４５ｃを介して加算器４６ｄの他端に供給され、光検出セル４４ｄの出力信号は、増幅器４５ｄを介して加算器４６ｃの他端に供給される。
【０１２５】
加算器４６ａの出力信号は、差動増幅器ＯＰ２の反転入力端に供給され、この差動増幅器ＯＰ２の非反転入力端には、加算器４６ｂの出力信号が供給される。これにより、差動増幅器ＯＰ２は、加算器４６ａ、４６ｂの差に応じてフォーカス点に関する信号、すなわちフォーカス誤差信号をフォーカシング制御回路４７に供給する。このフォーカシング制御回路４７からの出力信号は、駆動コイル３１に供給され、レーザビームが光ディスク１のデータ記録面上で常時ジャストフォーカスとなるように制御される。
【０１２６】
加算器４６ｃの出力信号は、差動増幅器ＯＰ１の反転入力端に供給され、この差動増幅器ＯＰ１の非反転入力端には、加算器４６ｄの出力信号が供給される。これにより、差動増幅器ＯＰ１は、加算器４６ｃ、４６ｄの差に応じてトラッキング誤差信号をトラッキング制御回路４８に供給する。トラッキング制御回路４８は、差動増幅器ＯＰ１から供給されるトラッキング誤差信号に応じてトラック駆動信号を作成する。
【０１２７】
このトラッキング制御回路４８から出力されるトラック駆動信号は、トラッキング方向の駆動コイル３２に供給される。また、このトラッキング制御回路４８で用いられたトラッキング誤差信号は、リニアモータ制御回路２８にも供給される。
【０１２８】
このようにフォーカシング制御、及びトラッキング制御を行った状態での光検出器４４の各光検出セル４４ａ乃至４４ｄの出力の和信号、つまり加算器４６ｃ、４６ｄからの出力信号を加算器４６ｅで加算した信号は、トラック上に形成されたピット、すなわち記録データからの反射率の変化が反映されている。この信号は、再生手段としてのデータ再生回路３８に供給され、このデータ再生回路３８において、光ディスクのデータ記録面に記録されているデータが再生される。
【０１２９】
このデータ再生回路３８で再生された再生データは、再生データに付与されているエラー訂正コードＥＣＣを用いてエラー訂正手段としてのエラー訂正回路５２でエラー訂正を行った後、インターフェース回路５５を介して外部装置としての光ディスク制御装置５６に出力される。
【０１３０】
また、レーザ駆動回路３５の前段には、データ生成回路３４が設けられている。このデータ生成回路３４には、エラー訂正回路５２から供給される記録データとしてのＥＣＣブロックのフォーマットデータを、ＥＣＣブロック用の同期コードを付与した記録用のＥＣＣブロックのフォーマットデータに変換するＥＣＣブロックデータ生成回路３４ａと、このＥＣＣブロックデータ生成回路３４ａからの記録データを８−１６変調方式で変調する変調回路３４ｂとが設けられている。
【０１３１】
データ生成回路３４には、エラー訂正回路５２によりエラー訂正符号が付与された記録データやメモリ１０から読出されたエラーチェック用のダミーデータが供給される。エラー訂正回路５２には、外部装置としての光ディスク制御装置５６からの記録データがインターフェース回路５５およびバス４９を介して供給される。
【０１３２】
エラー訂正回路５２は、光ディスク制御装置５６から供給される３２Ｋバイトの記録データを４Ｋバイトごとのセクタ単位の記録データに対する横方向と縦方向のそれぞれのエラー訂正符号を付与するとともに、セクタＩＤ（論理アドレス番号）を付与し、ＥＣＣブロックのフォーマットデータを生成する。
【０１３３】
また、この光ディスク装置には、それぞれフォーカシング制御回路４７、トラッキング制御回路４８、及びリニアモータ制御回路２８と、光ディスク装置の全体を制御するＣＰＵ５０との間で情報の授受を行うために用いられるＤ／Ａ変換器５１が設けられている。
【０１３４】
モータ制御回路２４、リニアモータ制御回路２８、レーザ駆動回路３５、データ再生回路３８、フォーカシング制御回路４７、トラッキング制御回路４８、エラー訂正回路５３等は、バス４９を介してＣＰＵ５０によって制御される。このＣＰＵ５０は、メモリ１０に記録された制御プログラムによって所定の動作を行う。
【０１３５】
メモリ１０は、制御プログラムが記録されていたり、データ記録用に用いられる。このメモリ１０は、各ゾーンに対する、速度データ（回転数）と１トラックのセクタ数との関係が記録されているテーブル１０ａを有している。
【０１３６】
続いて、図１４を参照してデータ再生回路３８の概略構成について説明する。
【０１３７】
データ再生回路３８に供給される信号（加算器４６ｅから出力される信号）は、ＰＬＬ回路１００及びヘッダ検出回路１２０に供給される。ＰＬＬ回路１００は、この信号からデータ及びこのクロックを抽出する。ＰＬＬ回路１００により抽出されたデータ及びクロックは、ＡＭ検出回路１０２に供給される。また、このＡＭ検出回路１０２には、選択部ＳＥＬ４から出力される論理和信号又は疑似ヘッダ信号が供給される。この選択部ＳＥＬ４から出力される論理和信号及び疑似ヘッダ信号については後に詳しく説明する。ＡＭ検出回路１０２は、論理和信号又は疑似ヘッダ信号の供給を受けることにより、ＰＬＬ回路１００から供給されたデータからアドレスマーク（ＡＭ）を検出する。ＡＭ検出回路１０２によりアドレスマークが検出されると、このアドレスマークの検出を基準として、タイミング生成部１０４によりタイミング制御信号が生成される。
【０１３８】
一方、ＰＬＬ回路１００により抽出されたデータは、Ｓ／Ｐ変換部１０６にも供給される。Ｓ／Ｐ変換部１０６は、ＰＬＬ回路１００から供給されるシリアルデータをパラレルデータに変換する。Ｓ／Ｐ変換部１０６で変換されたパラレルデータは、８／１６復調部１０８に供給される。８／１６復調部１０８は、Ｓ／Ｐ変換部１０６から供給されるパラレルデータに対して８／１６復調処理を行う。これにより、８／１６復調部１０８から８ビットの復調データが出力される。
【０１３９】
図４に示すように、ＡＭフィールドに記録されるアドレスマークの後の４バイトのデータがＰＩＤデータである。さらに、このＰＩＤデータの後の２バイトがＩＥＤデータである。従って、タイミング生成部１０４により生成されるタイミング制御信号、つまり、アドレスマークの検出を基準として生成されるタイミング基準信号により、ＰＩＤデータ及びＩＥＤデータの再生が実現される。
【０１４０】
ここで、レジスタ制御部１１０によるレジスタの制御について説明する。ＩＥＤ１フィールドのＩＥＤデータにより、ＰＩＤ１フィールドのＰＩＤ１データにエラーが無いことが判明すると、ＰＩＤ１フィールドに含まれたＰＩＤナンバーが参照される。既に説明したように、ＰＩＤ１フィールドには、ＰＩＤナンバーとして“００”が記録されている。ＰＩＤ２フィールドには、ＰＩＤナンバーとして“０１”が記録されている。ＰＩＤ３フィールドには、ＰＩＤナンバーとして“１０”が記録されている。ＰＩＤ４フィールドには、ＰＩＤナンバーとして“１１”が記録されている。つまり、ＰＩＤナンバーを参照することにより、ＰＩＤ１データ、ＰＩＤ２データ、ＰＩＤ３データ、及びＰＩＤ４データが区別される。ＰＩＤナンバーとして“００”が確認されると、レジスタ制御部１１０により、このＰＩＤナンバーを含むＰＩＤフィールド（ＰＩＤ１フィールド）のＰＩＤ１データが、レジスタＲＥＧ１に書込まれる。逆に言うと、ＰＩＤナンバーとして“００”が確認されなければ、レジスタＲＥＧ１には、データは書込まれない。
【０１４１】
同様にして、レジスタ制御部１１０により、ＰＩＤ２フィールドのＰＩＤ２データが、レジスタＲＥＧ２に書込まれる。ＰＩＤ３フィールドのＰＩＤ３データは、レジスタＲＥＧ３に書込まれる。ＰＩＤ４フィールドのＰＩＤ４データは、レジスタＲＥＧ４に書込まれる。
【０１４２】
優先順位付加部１１２は、ＰＩＤ１データとＰＩＤ２データのどちらを優先するか、及びＰＩＤ３データとＰＩＤ４データのどちらを優先するかを決定する。つまり、この優先順位付加部１１２は、優先選択手段として機能する。この実施形態では、ＰＩＤ２データ及びＰＩＤ４データを優先するものとする。図５〜図９に示すように、ＰＩＤ１フィールド及びＰＩＤ２フィールドに対して、ＰＩＤ３フィールド及びＰＩＤ４フィールドは、千鳥状に形成されている。また、ＰＩＤ１フィールド、ＰＩＤ２フィールド、ＰＩＤ３フィールド、及びＰＩＤ４フィールドは、ランドトラックとグルーブトラックの境界延長線上に形成されている。このため、ＰＩＤ２フィールドのＰＩＤ２データは、ＰＩＤ１フィールドのＰＩＤ１データより比較的安定して再生される。また、ＰＩＤ４フィールドのＰＩＤ４データは、ＰＩＤ３フィールドのＰＩＤ３データより比較的安定して再生される。つまり、ＰＩＤ２データ及びＰＩＤ４データを優先することにより、ＰＩＤフィールドのデータの信頼性を高めることができる。
【０１４３】
勿論、ＰＩＤ１データ及びＰＩＤ３データを優先しても良し、ＰＩＤ１データとＰＩＤ４データを優先しても良いし、ＰＩＤ２データ及びＰＩＤ３データを優先しても良い。
【０１４４】
優先順位付加部１１２は選択部ＳＥＬ１に対して、ＰＩＤ２データの選択を示すＰＩＤ２選択信号を出力する。さらに、優先順位付加部１１２は選択部ＳＥＬ２に対して、ＰＩＤ４データの選択を示すＰＩＤ４選択信号を出力する。
【０１４５】
レジスタＲＥＧ１にＰＩＤ１データが書込まれている場合、選択部ＳＥＬ１には、レジスタＲＥＧ１からＰＩＤ１データが供給される。同様に、レジスタＲＥＧ２にＰＩＤ２データが書込まれている場合、選択部ＳＥＬ１には、レジスタＲＥＧ２からＰＩＤ２データが供給される。さらに、この選択部ＳＥＬ１には、ＰＩＤ２選択信号が供給される。選択部ＳＥＬ１にＰＩＤ１データ及びＰＩＤ２データが用意されていれば、この選択部ＳＥＬ１はＰＩＤ２選択信号に従いＰＩＤ２データを選択する。なお、選択部ＳＥＬ１にＰＩＤ１データしか用意されていないときには、この選択部ＳＥＬ１はＰＩＤ１データを選択する。つまり、選択部ＳＥＬ１は、優先選択手段として機能する。選択部ＳＥＬ１で選択されたＰＩＤ１データ又はＰＩＤ２データは、比較部１１４及びＩＤ算出部１１６へ供給される。
【０１４６】
一方、レジスタＲＥＧ３にＰＩＤ３データが書込まれている場合、選択部ＳＥＬ２には、レジスタＲＥＧ３からＰＩＤ３データが供給される。同様に、レジスタＲＥＧ４にＰＩＤ４データが書込まれている場合、選択部ＳＥＬ２には、レジスタＲＥＧ４からＰＩＤ４データが供給される。さらに、この選択部ＳＥＬ２には、ＰＩＤ４選択信号が供給される。選択部ＳＥＬ２にＰＩＤ３データ及びＰＩＤ４データが用意されていれば、この選択部ＳＥＬ２はＰＩＤ４選択信号に従いＰＩＤ４データを選択する。なお、選択部ＳＥＬ２にＰＩＤ３データしか用意されていないときには、この選択部ＳＥＬ２はＰＩＤ３データを選択する。つまり、選択部ＳＥＬ２は、優先選択手段として機能する。選択部ＳＥＬ２で選択されたＰＩＤ３データ又はＰＩＤ４データは、比較部１１４及び算出部１１６へ供給される。
【０１４７】
比較部１１４は、選択部ＳＥＬ１から供給されるＰＩＤデータ（ＰＩＤ１データ又はＰＩＤ２データ）に含まれるセクタナンバーと、選択部ＳＥＬ２から供給されるＰＩＤデータ（ＰＩＤ３データ又はＰＩＤ４データ）に含まれるセクタナンバーとを比較する。つまり、選択部ＳＥＬ１から供給されるＰＩＤデータに含まれるセクタナンバーと、選択部ＳＥＬ２から供給されるＰＩＤデータに含まれるセクタナンバーとの大小関係を比較して、ランドトラック及びグルーブトラックを識別する。つまり、比較部１１４は、識別手段として機能する。そして、比較部１１４は、識別結果（ランド／グルーブ）を算出部１１６に供給する。
【０１４８】
（選択部ＳＥＬ１から供給されるＰＩＤデータに含まれるセクタナンバー）＞（選択部ＳＥＬ２から供給されるＰＩＤデータに含まれるセクタナンバー）の場合には、これらＰＩＤデータに続くトラックがグルーブトラックとして識別される。逆に、（選択部ＳＥＬ１から供給されるＰＩＤデータに含まれるセクタナンバー）＜（選択部ＳＥＬ２から供給されるＰＩＤデータに含まれるセクタナンバー）の場合には、これらＰＩＤデータに続くトラックがランドトラックとして識別される。
【０１４９】
算出部１１６は、比較部１１４から供給される比較結果（ランド／グルーブ）に基づき、セクターナンバーを算出する。算出部１１６に対して比較部１１４から比較結果（ランド）が供給されたとき、この算出部１１６は、選択部ＳＥＬ１から供給されるＰＩＤデータに含まれるセクタナンバーを出力する。つまり、ランドトラックとして識別されたときには、ＰＩＤ１データ又はＰＩＤ２データに含まれるセクタナンバーが出力される。また、算出部１１６に対して比較部１１４から比較結果（グルーブ）が供給されたとき、この算出部１１６は、選択部ＳＥＬ２から供給されるＰＩＤデータに含まれるセクタナンバーを出力する。つまり、グルーブトラックとして識別されたときには、ＰＩＤ３データ又はＰＩＤ４データに含まれるセクタナンバーが出力される。
【０１５０】
ここで、セクタナンバーの算出について、図６を参照して補足説明する。
【０１５１】
ヘッダ１フィールドＨ１２−１又はヘッダ２フィールドＨ１２−２と、ヘッダ３フィールドＨ２２−３又はヘッダ４フィールドＨ２２−４とが比較されるとする。この場合の大小関係は、（ヘッダ１フィールドＨ１２−１又はヘッダ２フィールドＨ１２−２のセクタナンバー）＞（ヘッダ３フィールドＨ２２−３又はヘッダ４フィールドＨ２２−４のセクタナンバー）となる。従って、グルーブセクタＧ１２が、グルーブセクタ（グルーブトラック）であるとして識別される。さらに、このとき、グルーブセクタＧ１２のセクターナンバーは、ヘッダ３フィールドＨ２２−３又はヘッダ４フィールドＨ２２−４に含まれるセクタナンバーとなる。
【０１５２】
別例として、ヘッダ１フィールドＨ３２−１又はヘッダ２フィールドＨ３２−２と、ヘッダ３フィールドＨ２２−３又はヘッダ４フィールドＨ２２−４とが比較されるとする。この場合の大小関係は、（ヘッダ１フィールドＨ３２−１又はヘッダ２フィールドＨ３２−２のセクタナンバー）＜（ヘッダ３フィールドＨ２２−３又はヘッダ４フィールドＨ２２−４のセクタナンバー）となる。従って、ランドセクタＬ２２が、ランドセクタ（ランドトラック）であるとして識別される。さらに、このとき、ランドセクタＬ２２のセクターナンバーは、ヘッダ１フィールドＨ３２−１又はヘッダ４フィールドＨ３２−２に含まれるセクタナンバーとなる。
【０１５３】
図１４に示すデータ再生回路３８によれば、ヘッダフィールドに含まれたヘッダデータから、目的のトラックがランドトラックかグルーブトラックかを識別することができる。つまり、ＰＩＤ１フィールド又はＰＩＤ２フィールドに含まれるセクタナンバーと、ＰＩＤ３フィールド又はＰＩＤ４フィールドに含まれるセクタナンバーとを比較して、この比較結果から、目的のトラックがランドトラックかグルーブトラックかを識別することができる。このランド／グルーブ識別処理は、ＩＥＤデータによりエラーがチェックされた確かなＰＩＤデータに基づき識別処理が行われる。従って、信頼性の高い識別処理が実現される。
【０１５４】
さらに、図１４に示すデータ再生回路３８は、優先順位付加部１１２により、ＰＩＤ１データとＰＩＤ２データのどちらを優先するか、及びＰＩＤ３データとＰＩＤ４データのどちらを優先するかを決定する。このとき、ＰＩＤ２及びＰＩＤ４を優先することにより、より信頼性の高い識別処理を実現することが可能となる。
【０１５５】
次に、ヘッダ検出の詳細について説明する。
【０１５６】
レジスタ制御部１１０は、ＰＩＤデータに応じて、選択信号００、選択信号０１、選択信号１０、又は選択信号１１を出力する。つまり、ＰＩＤ１データが確認されたときには、選択信号００が出力される。ＰＩＤ２データが確認されたときには、選択信号０１が出力される。ＰＩＤ３データが確認されたときには、選択信号１０が出力される。ＰＩＤ４データが確認されたときには、選択信号１１が出力される。
【０１５７】
レジスタ制御部１１０から出力される選択信号００、選択信号０１、選択信号１０、又は選択信号１１は、選択部ＳＥＬ３に入力される。また、この選択部ＳＥＬ３には、メモリ１２２に格納されたデータ１、データ２、データ３、及びデータ４が入力される。データ１は、ＰＩＤ１データが確認されたタイミングで出力される疑似ヘッダ信号の生成に利用されるデータである。データ２は、ＰＩＤ２データが確認されたタイミングで出力される疑似ヘッダ信号の生成に利用されるデータである。データ３は、ＰＩＤ３データが確認されたタイミングで出力される疑似ヘッダ信号の生成に利用されるデータである。データ４は、ＰＩＤ４データが確認されたタイミングで出力される疑似ヘッダ信号の生成に利用されるためのデータである。
【０１５８】
選択部ＳＥＬ３に選択信号００が入力されたときには、この選択部ＳＥＬ３はデータ１を選択して出力する。選択部ＳＥＬ３に選択信号０１が入力されたときには、この選択部ＳＥＬ３はデータ２を選択して出力する。選択部ＳＥＬ３に選択信号１０が入力されたときには、この選択部ＳＥＬ３はデータ３を選択して出力する。選択部ＳＥＬ３に選択信号１１が入力されたときには、この選択部ＳＥＬ３はデータ４を選択して出力する。
【０１５９】
選択部ＳＥＬ３から出力されるデータ１、データ２、データ３、又はデータ４は、疑似ヘッダ信号出力手段としての疑似ヘッダ生成部１２４に入力される。また、この疑似ヘッダ生成部１２４には、カウンタ１２６が設けられている。このカウンタ１２６は、疑似ヘッダ生成部１２４に入力されるデータ１、データ２、データ３、又はデータ４をロードする。そして、このカウンタ１２６は、ロードされたデータに応じて、所定のタイミングでカウント値Ｎｒｓ及びカウント値Ｎｓを出力する。
【０１６０】
疑似ヘッダ信号生成部１２４は、カウンタ１２６にデータがロードされてから、カウンタ１２６からカウント値Ｎｒｓが出力されるまでの間、疑似ヘッダ信号の出力を継続する。さらに、この疑似ヘッダ信号生成部１２４は、カウンタ１２６によりカウント値Ｎｓが出力されてからカウント値Ｎｒｓが出力されるまでの間、疑似ヘッダ信号の出力を継続する。疑似ヘッダ信号生成部１２４から出力される疑似ヘッダ信号は、選択部ＳＥＬ４及び論理和回路１２８に入力される。また、疑似ヘッダ信号生成部１２４は、カウンタ１２６から出力されるカウント値Ｎｓに基づき、選択信号０又は選択信号１を出力する。具体的に言うと、カウンタ１２６によりカウント値Ｎｓが出力されてからカウント値Ｎｒｓが出力されるまでの間は、疑似ヘッダ信号生成部１２４は選択信号１を出力する。それ以外は、選択信号０を出力する。
【０１６１】
一方、ヘッダ信号出力手段としてのヘッダ検出回路１２０は、ヘッダフィールドを検知したことを示すヘッダ信号を出力する。ヘッダフィールドに対して照射された光ビームの反射光には、ヘッダフィールドに千鳥状に配置されたヘッダデータの影響により、ある特徴が見られる。ヘッダ検出回路１２８は、この特徴を検出して、ヘッダ信号を出力する。ヘッダ検出回路１２０から出力されるヘッダ信号は、論理和回路１２８に入力される。つまり、論理和回路１２８には、ヘッダ検出回路１２０から出力されるヘッダ信号、及び疑似ヘッダ信号生成部１２６から出力される疑似ヘッダ信号が入力される。従って、この論理和回路１２８は、ヘッダ信号及び疑似ヘッダ信号の論理和信号を出力する。
【０１６２】
選択部ＳＥＬ４には、論理和回路１２８から出力される論理和信号、疑似ヘッダ信号生成部１２４から出力される疑似ヘッダ信号、及び疑似ヘッダ信号生成部１２４から出力される選択信号１又は選択信号２が入力される。選択部ＳＥＬ４に対して選択信号０が入力されたときには、この選択部ＳＥＬ４は論理和信号を選択して出力する。選択部ＳＥＬ４に対して選択信号１が入力されたときには、この選択部ＳＥＬ４は疑似ヘッダ信号を選択して出力する。この選択部ＳＥＬ４から出力される論理和信号又は疑似ヘッダ信号が、ヘッダフィールドとレコーディングフィールドとの識別に利用される。
【０１６３】
続いて、図１５のタイミングチャートを参照して、図１４に示すデータ再生回路３８の動作を説明する。
【０１６４】
この図１５は、ヘッダフィールドＨＦ１、レコーディングフィールドＲＥ１、ヘッダフィールドＨＦ２、及びレコーディングフィールドＲＥ２が順に再生される様子を示すタイミングチャートである。なお、レコーディングフィールドＲＥ１は、ヘッダフィールドＨＦ１に続く領域である。ヘッダフィールドＨＦ２は、レコーディングフィールドＲＥ１に続く領域である。レコーディングフィールドＲＥ２は、ヘッダフィールドＨＦ２に続く領域である。
【０１６５】
ヘッダ検出回路１２０によりヘッダフィールドＨＦ１が検出され、このヘッダ検出回路１２０からヘッダ信号が出力されるとする（ｔ１〜ｔ５）。この間、カウンタ１２４からカウント値Ｎｓは出力されない。従って、疑似ヘッダ信号生成部１２４からは選択信号０が出力される。よって、選択部ＳＥＬ４には選択信号０が供給され、この選択部ＳＥＬ４からは論理和信号が出力される。ＡＭ検出部１０２は、選択部ＳＥＬ４から出力される論理和信号を受けて、ＰＬＬ回路１００から供給されたデータからアドレスマーク（ＡＭ）を検出する。つまり、ヘッダフィールドＨＦ１に含まれるヘッダ１フィールド、ヘッダ２フィールド、ヘッダ３フィールド、及びヘッダ４フィールド夫々からアドレスマークを検出する。
【０１６６】
例えば、ヘッダ１フィールドからアドレスマークが検出されずに、ヘッダ２フィールド、ヘッダ３フィールド、及びヘッダ４フィールド夫々からアドレスマークが検出されたとする。つまり、ヘッダ１フィールドが検出されずに（ヘッダ１ＮＧ）、ヘッダ２フィールド、ヘッダ３フィールド、及びヘッダ４フィールド夫々が検出されたとする（ヘッダ２ＯＫ、ヘッダ３ＯＫ、ヘッダ４ＯＫ）。
【０１６７】
ここで、ヘッダ２フィールドに記録された誤り検出符号ＩＥＤにより、ＰＩＤ２にエラーが無いことが確認されるとする（ＰＩＤ２ＯＫ）。これに伴い、レジスタ制御部１１０から選択信号０１が出力される。選択信号０１を受けた選択部ＳＥＬ３は、データ２を選択し出力する。このデータ２は、疑似ヘッダ信号生成部１２４に入力され、カウンタ１２６によりロードされる（ｔ２）。カウンタ１２６は、データ２に応じて、カウント値Ｎｒｓ（ｔ６）。カウント値Ｎｓ（ｔ７）、カウント値Ｎｒｓ（ｔ１５）を出力する。
【０１６８】
また、ヘッダ３フィールドに記録された誤り検出符号ＩＥＤにより、ＰＩＤ３にエラーが無いことが確認されるとする（ＰＩＤ３ＯＫ）。これに伴い、レジスタ制御部１１０から選択信号１０が出力される。選択信号１０を受けた選択部ＳＥＬ３は、データ３を選択し出力する。このデータ３は、疑似ヘッダ信号生成部１２４に入力され、カウンタ１２６によりロードされる（ｔ３）。カウンタ１２６は、データ３に応じて、カウント値Ｎｒｓ（ｔ６）。カウント値Ｎｓ（ｔ７）、カウント値Ｎｒｓ（ｔ１５）を出力する。
【０１６９】
さらに、ヘッダ４フィールドに記録された誤り検出符号ＩＥＤにより、ＰＩＤ４にエラーが無いことが確認されるとする（ＰＩＤ４ＯＫ）。これに伴い、レジスタ制御部１１０から選択信号１１が出力される。選択信号１１を受けた選択部ＳＥＬ３は、データ４を選択し出力する。このデータ４は、疑似ヘッダ信号生成部１２４に入力され、カウンタ１２６によりロードされる（ｔ４）。カウンタ１２６は、データ３に応じて、カウント値Ｎｒｓ（ｔ６）。カウント値Ｎｓ（ｔ７）、カウント値Ｎｒｓ（ｔ１５）を出力する。
【０１７０】
データ１、データ２、データ３、及びデータ４は、カウンタ１２６からのカウント値Ｎｒｓ及びカウント値Ｎｓの出力のタイミングを全て同じにするようなデータである。つまり、データ１、データ２、データ３、及びデータ４のどのデータがカウンタ１２６によりロードされても、カウント値Ｎｒｓはｔ６及びｔ１５のタイミングで出力され、カウント値Ｎｓはｔ７のタイミングで出力される。さらに、詳しく言うと、データ１、データ２、データ３、及びデータ４は、レコーディングフィールドＲＥ１のＶＦＯ３フィールド及びレコーディングフィールドＲＥ２のＶＦＯ３フィールドに記録された同期コードが再生されるタイミングでカウンタ１２６にカウント値Ｎｒｓを出力させるようなデータである。また、データ１、データ２、データ３、及びデータ４は、レコーディングフィールドＲＥ１のバッファフィールドが再生されるタイミングでカウンタ１２６にカウント値Ｎｓを出力させるようなデータでもある。
【０１７１】
疑似ヘッダ信号生成部１２４は、カウンタ１２６によりデータ２がロードされるタイミングで疑似ヘッダ信号の出力を開始し（ｔ２）、カウンタ１２６からカウンタ値Ｎｒｓが出力されるまで（ｔ６）、疑似ヘッダ信号の出力を継続する（ｔ２〜ｔ６）。また、疑似ヘッダ信号生成部１２４は、カウンタ１２６によりデータ３がロードされるタイミングで疑似ヘッダ信号の出力を開始し（ｔ３）、カウンタ１２６からカウンタ値Ｎｒｓが出力されるまで（ｔ６）、疑似ヘッダ信号の出力を継続する（ｔ３〜ｔ６）。さらに、疑似ヘッダ信号生成部１２４は、カウンタ１２６によりデータ４がロードされるタイミングで疑似ヘッダ信号の出力を開始し（ｔ４）、カウンタ１２６からカウンタ値Ｎｒｓが出力されるまで（ｔ６）、疑似ヘッダ信号の出力を継続する（ｔ４〜ｔ６）。
【０１７２】
結果的に、疑似ヘッダ信号は、カウンタ１２６によりデータ２がロードされてから（ｔ２）カウンタ１２６からカウンタ値Ｎｒｓが出力されるまで（ｔ６）出力される。この間、疑似ヘッダ信号生成部１２６からは、選択信号０が出力されている。従って、選択部ＳＥＬ４は、論理和回路１２８の出力である論理和信号を選択して出力する。
【０１７３】
また、疑似ヘッダ信号生成部１２４は、カウンタ１２６からカウンタ値Ｎｓが出力されるタイミングで疑似ヘッダ信号の出力を開始し（ｔ７）、カウンタ１２６からカウンタ値Ｎｒｓが出力されるまで（ｔ１５）、疑似ヘッダ信号の出力を継続する（ｔ７〜ｔ１５）。さらに、疑似ヘッダ信号生成部１２４は、カウンタ１２６からカウンタ値Ｎｓが出力されるタイミングで選択信号１の出力を開始し（ｔ７）、カウンタ１２６からカウンタ値Ｎｒｓが出力されるまで（ｔ１５）、選択信号１の出力を継続する（ｔ７〜ｔ１５）。従って、選択部ＳＥＬ４は、疑似ヘッダ信号を選択して出力する。
【０１７４】
一方、ヘッダ検出回路によりヘッダフィールドＨＦ２の一部が検出され、このヘッダ検出回路１２０からヘッダ信号が出力されるとする（ｔ１０〜ｔ１４）。因みに、ｔ８〜ｔ１０は、ヘッダ信号が欠落したことを示す。この発明によれば、ヘッダ信号の一部が欠落しても（ｔ８〜ｔ１０）、疑似ヘッダ信号（ｔ７〜ｔ１５）に頼ることにより、ヘッダフィールドＨＦ２とレコーディングフィールドＲＥ２とを正確に識別して、レコーディングフィールドＲＥ２を正常に再生することができる。図１５のタイミングチャートには、疑似ヘッダ信号（ｔ７〜ｔ１５）を利用して、ヘッダフィールドＨＦ２の全てのＰＩＤデータの再生に成功したことが示されている（ＰＩＤ１ＯＫ、ＰＩＤ２ＯＫ、ＰＩＤ３ＯＫ、ＰＩＤ４ＯＫ）。この場合、データ１、データ２、データ３、データ４が、夫々所定のタイミングでカウンタ１２６にロードされる（ｔ９、ｔ１１、ｔ１２、ｔ１３）。その結果、カウンタ１２６から所定のタイミングで、カウント値Ｎｒｓ、カウント値Ｎｓが出力される。
【０１７５】
また、一般的に、ヘッダフィールドとレコーディングフィールドとの境界、すなわち、エンボス記録フィールドと相変化記録フィールドとの境界でのデータ再生は、不安定になりがちである。そのため、疑似ヘッダ信号は、ヘッダフィールドとレコーディングフィールドとの境界を避けて、出力が開始され出力が終了される。具体的には、レコーディングフィールドＲＥ１のバッファフィールドから、レコーディングフィールドＲＥ２のＶＦＯ３フィールドまで出力される（カウント値Ｎｓの出力に伴い出力される疑似ヘッダ信号の場合）。これにより、さらに、レコーディングフィールドを安定して再生することができる。
【０１７６】
仮に、このヘッダフィールドＨＦ２から、ヘッダ１フィールド、ヘッダ２フィールド、ヘッダ３フィールド、及びヘッダ４フィールドが検出されなかったとする。つまり、ヘッダフィールドＨＦ２からＰＩＤデータが全く再生されなかったとする。このような場合、レコーディングフィールドＨＦ２に続くヘッダフィールドＨＦ３の再生は、ヘッダフィールドＨＦ１の再生と同じように行われる。
【０１７７】
【発明の効果】
この発明によれば、不安定なヘッダフィールドの検出による悪影響を受けることなく、レコーディングフィールドに記録されたデータの再生、及びレコーディングフィールドに対するデータの記録を正常に行うことが可能な光ディスク装置を提供できる。
【図面の簡単な説明】
【図１】光ディスクのゾーンという概念を説明するための図である。
【図２】光ディスクのデータ構造の概略を説明するための図である。
【図３】光ディスクの各ゾーンに対応する回転速度、及び各ゾーンの１トラックあたりのセクタ数を説明するための図である。
【図４】光ディスクのセクタフォーマットを説明するための図である。
【図５】グルーブセクタとグルーブセクタ、又はランドセクタとランドセクタの間に設けられたヘッダフィールドを説明するための図である。
【図６】グルーブセクタとグルーブセクタ、又はランドセクタとランドセクタの間に設けられたヘッダフィールドを説明するための図である。
【図７】グルーブセクタとランドセクタとの間に設けられたヘッダフィールドを説明するための図である。
【図８】グルーブセクタとランドセクタとの間に設けられたヘッダフィールドを説明するための図である。
【図９】光ディスクの構造を示す斜視図である。
【図１０】カッティング装置の概略構成を示す図である。
【図１１】カッティング装置のフォーマット回路が発生するカッティング変調信号及びウォブル制御信号を説明するための図である。
【図１２】シングルスパイラルを形成するためのカッティング変調信号を説明するための図である。
【図１３】光ディスク装置の概略構成を示す図である。
【図１４】光ディスク装置のデータ再生回路の概略構成を示す図である。
【図１５】データ再生回路の動作を示すタイミングチャート図である。
【符号の説明】
１…光ディスク
５…光学ヘッド
１０…メモリ
３８…データ再生回路
３５…レーザ駆動回路
３９…半導体レーザ
５０…ＣＰＵ
１００…ＰＬＬ回路
１０２…ＡＭ検出部
１０４…タイミング生成部
１０６…Ｓ／Ｐ変換部
１０８…８／１６変調部
１１０…レジスタ制御部
１１４…比較部
１１６…算出部
１２０…ヘッダ検出回路
１２２…メモリ
１２４…疑似ヘッダ信号生成部
１２６…カウンタ
１２８…論理和回路
ＳＥＬ１、ＳＥＬ２、ＳＥＬ３、ＳＥＬ４…選択部
【図１】
0003872887.tif 000002
【図２】
0003872887.tif 000003
【図３】
0003872887.tif 000004
【図４】
0003872887.tif 000005
【図５】
0003872887.tif 000006
【図６】
0003872887.tif 000007
【図７】
0003872887.tif 000008
【図８】
0003872887.tif 000009
【図９】
0003872887.tif 000010
【図１０】
0003872887.tif 000011
【図１１】
0003872887.tif 000012
【図１２】
0003872887.tif 000013
【図１３】
0003872887.tif 000014
【図１４】
0003872887.tif 000015
【図１５】
0003872887.tif 000016